(57)【要約】【課題】ダブルスーパーヘテロダイン方式の通信に用いられ、通信を行いながら通過帯域の近傍の干渉波を容易に減衰させ、干渉波による影響を抑制することができる受信装置を提供する。【解決手段】オフセット信号源と、オフセット信号の位相と基準信号の位相とに基づく周波数の第１信号を出力する第１ＰＬＬと、オフセット信号の位相と基準信号の位相とに基づく周波数の第２信号を出力する第２ＰＬＬと、高周波信号と第１信号とから第１中間周波数信号を生成する第１ミキサと、第１中間周波数信号を通過させるバンドパスフィルタと、第２信号とバンドパスフィルタを通過した後の第１中間周波数信号とから第２中間周波数信号を生成する第２ミキサと、を備え、オフセット信号の周波数が変更された場合に、第１信号の周波数の増加分の絶対値が第２信号の周波数の減少分の絶対値に等しくなる第１信号と第２信号とを生成する受信装置。【選択図】図１
2018056740.tif 000002
【特許請求の範囲】
【請求項１】
受信した高周波信号をダブルスーパーヘテロダイン方式により復調する受信装置であって、
所望の周波数のオフセット信号を発生させるオフセット信号源と、
前記オフセット信号を入力し、前記オフセット信号に係る位相と基準信号の位相との比較結果に基づく周波数の第１ローカル信号を出力する第１ＰＬＬを有する第１局部発振器と、
前記オフセット信号を入力し、前記オフセット信号に係る位相と基準信号の位相との比較結果に基づく周波数の第２ローカル信号を出力する第２ＰＬＬを有する第２局部発振器と、
前記高周波信号と前記第１ローカル信号とを乗算して、第１中間周波数信号を生成する第１ミキサと、
前記第１中間周波数信号を通過させるバンドパスフィルタと、
前記第２ローカル信号と前記バンドパスフィルタを通過した後の前記第１中間周波数信号とを乗算して、第２中間周波数信号を生成する第２ミキサと、
を備え、
前記オフセット信号の周波数が変更された場合に、前記第１ローカル信号の周波数の増加分の絶対値が前記第２ローカル信号の周波数の減少分の絶対値に等しくなる前記第１ローカル信号と前記第２ローカル信号とを生成する
受信装置。
【請求項２】
前記オフセット信号源と前記第１局部発振器との間に設けられ、前記オフセット信号を分周して前記第１局部発振器に出力する分周器、
を備える
請求項１に記載の受信装置。
【請求項３】
前記第１局部発振器と前記第１ミキサとの間に設けられ、前記第１ローカル信号を逓倍して前記第１ミキサに出力する逓倍回路、
を備える
請求項１または請求項２に記載の受信装置。
【請求項４】
前記オフセット信号の周波数は、センター周波数からプラス側に所定の周波数だけ変動させた信号、及び、前記センター周波数からマイナス側に所定の周波数だけ変動させた信号のうち、前記プラス側に変動させた信号の搬送波対雑音比が前記マイナス側に変動させた信号の搬送波対雑音比よりもよい場合には前記センター周波数から最大値周波数までの周波数のうち搬送波対雑音比が最もよくなる周波数であり、前記プラス側に変動させた信号の搬送波対雑音比が前記マイナス側に変動させた信号の搬送波対雑音比よりも悪い場合には前記センター周波数から最小周波数までの周波数のうち搬送波対雑音比が最もよい周波数である、
請求項１から請求項３の何れか一項に記載の受信装置。
【請求項５】
ダブルスーパーヘテロダイン方式により高周波信号に変調する送信装置であって、
所望の周波数のオフセット信号を発生させるオフセット信号源と、
第１入力基準周波数と第１入力周波数との位相差である第１位相差に応じた発振周波数の第１ローカル信号を生成する第１電圧制御発振器、
前記オフセット信号と前記第１ローカル信号とに基づいて生成された信号を通過させ、不要信号を除去して前記第１入力周波数の信号を生成する第１バンドパスフィルタ、
を有する第１局部発振器と、
第２入力基準周波数と第２入力周波数との位相差である第２位相差に応じた発振周波数の第２ローカル信号を生成する第２電圧制御発振器、
前記オフセット信号の逆位相の信号と前記第２ローカル信号とに基づいて生成された信号を通過させ、不要信号を除去して前記第２入力周波数の信号を生成する第２バンドパスフィルタ、
を有する第２局部発振器と、
前記第１ローカル信号と第２中間周波数信号とを乗算して前記高周波信号を生成する第１ミキサと、
第１中間周波数信号と前記第２ローカル信号とを乗算して第２中間周波数信号を生成する第２ミキサと、
を備える、
送信装置。
【請求項６】
請求項１に記載の受信装置と、
請求項５に記載の送信装置と、
を備える通信システム。
【請求項７】
受信した高周波信号をダブルスーパーヘテロダイン方式により復調する受信装置の制御方法であって、
所望の周波数のオフセット信号を発生させることと、
前記オフセット信号を入力し、前記オフセット信号に係る位相と基準信号の位相との比較結果に基づく周波数の第１ローカル信号を出力することと、
前記オフセット信号を入力し、前記オフセット信号に係る位相と基準信号の位相との比較結果に基づく周波数の第２ローカル信号を出力することと、
前記高周波信号と前記第１ローカル信号とを乗算して、第１中間周波数信号を生成することと、
前記第１中間周波数信号を通過させることと、
前記第２ローカル信号とバンドパスフィルタを通過した後の前記第１中間周波数信号とを乗算して、第２中間周波数信号を生成することと、
を含み、
前記オフセット信号の周波数が変更された場合に、前記第１ローカル信号の周波数の増加分の絶対値が前記第２ローカル信号の周波数の減少分の絶対値に等しくなる前記第１ローカル信号と前記第２ローカル信号とを生成することと、
を含むことを特徴とする受信装置の制御方法。
【請求項８】
ダブルスーパーヘテロダイン方式により高周波信号に変調する送信装置の制御方法であって、
所望の周波数のオフセット信号を発生させることと、
第１入力基準周波数と第１入力周波数との位相差である第１位相差に応じた発振周波数の第１ローカル信号を生成することと、
前記オフセット信号と前記第１ローカル信号とに基づいて生成された信号を通過させ、不要信号を除去して前記第１入力周波数の信号を生成することと、
第２入力基準周波数と第２入力周波数との位相差である第２位相差に応じた発振周波数の第２ローカル信号を生成することと、
前記オフセット信号の逆位相の信号と前記第２ローカル信号とに基づいて生成された信号を通過させ、不要信号を除去して前記第２入力周波数の信号を生成することと、
前記第１ローカル信号と第２中間周波数信号とを乗算して前記高周波信号を生成することと、
第１中間周波数信号と前記第２ローカル信号とを乗算して第２中間周波数信号を生成することと、
を含む送信装置の制御方法。
【請求項９】
コンピュータに、
所望の周波数のオフセット信号を発生させることと、
前記オフセット信号を入力し、前記オフセット信号に係る位相と基準信号の位相との比較結果に基づく周波数の第１ローカル信号を出力することと、
前記オフセット信号を入力し、前記オフセット信号に係る位相と基準信号の位相との比較結果に基づく周波数の第２ローカル信号を出力することと、
受信した高周波信号と前記第１ローカル信号とを乗算して、第１中間周波数信号を生成することと、
前記第１中間周波数信号を通過させることと、
前記第２ローカル信号とバンドパスフィルタを通過した後の前記第１中間周波数信号とを乗算して、第２中間周波数信号を生成することと、
を実行させ、
前記オフセット信号の周波数が変更された場合に、前記第１ローカル信号の周波数の増加分の絶対値が前記第２ローカル信号の周波数の減少分の絶対値に等しくなる前記第１ローカル信号と前記第２ローカル信号とを生成すること、
を実行させるプログラム。
【請求項１０】
コンピュータに、
所望の周波数のオフセット信号を発生させることと、
第１入力基準周波数と第１入力周波数との位相差である第１位相差に応じた発振周波数の第１ローカル信号を生成することと、
前記オフセット信号と前記第１ローカル信号とに基づいて生成された信号を通過させ、不要信号を除去して前記第１入力周波数の信号を生成することと、
第２入力基準周波数と第２入力周波数との位相差である第２位相差に応じた発振周波数の第２ローカル信号を生成することと、
前記オフセット信号の逆位相の信号と前記第２ローカル信号とに基づいて生成された信号を通過させ、不要信号を除去して前記第２入力周波数の信号を生成することと、
前記第１ローカル信号と第２中間周波数信号とを乗算して送信する高周波信号を生成することと、
第１中間周波数信号と前記第２ローカル信号とを乗算して第２中間周波数信号を生成することと、
を実行させるプログラム。
【発明の詳細な説明】
【技術分野】
【０００１】
本発明は、受信装置、送信装置、通信システム、受信装置の制御方法、送信装置の制御方法及びプログラムに関する。
【背景技術】
【０００２】
第１中間周波数と第２中間周波数を用いて信号処理した信号を送受信するダブルスーパーヘテロダイン方式の通信が知られている。ダブルスーパーへテロダイン方式の通信では、送受信時の中間周波数の処理にバンドパスフィルタを用いて干渉波を減衰させている。
特許文献１には、関連する技術として、周波数帯域を可変できるバンドパスフィルタを用いて干渉波を減衰させる技術が記載されている。
特許文献２には、関連する技術として、スーパーへテロダイン方式を採用した受信装置における内部スプリアス妨害、クロススプリアス妨害を、回路構成を複雑にすることなく回避する技術が記載されている。
特許文献３には、関連する技術として、ダブルスーパーへテロダイン方式を採用した受信装置において中間周波数を可変する技術が記載されている。
【先行技術文献】
【特許文献】
【０００３】
【特許文献１】特開２０１５−１１５７９６号公報
【特許文献２】特開平１０−２２８５５号公報
【特許文献３】特開平９−１３９６８２号公報
【発明の概要】
【発明が解決しようとする課題】
【０００４】
ところで、通過帯域の周波数依存特性が平坦でカットオフ周波数からの減衰が急峻なバンドパスフィルタを実現することは一般的に困難である。また、例えば、特許文献２や特許文献３に記載の技術を用いて干渉波の周波数をバンドパスフィルタの通過帯域外とすることが考えられる。しかしながら、特許文献２や特許文献３に記載の技術は、ＰＬＬ内の分周率を変更するものである。そのため、分周率を変更した直後には、第２の中間周波数が所望の周波数とは異なる周波数となってしまい、信号は復調できる品質を保つことができない。ダブルスーパーヘテロダイン方式の通信に用いられる受信装置において、通信を行いながら通過帯域の近傍の干渉波を減衰させ、干渉波による影響を抑制することは困難である。
そこで、ダブルスーパーヘテロダイン方式の通信に用いられる受信装置において、通信を行いながら通過帯域の近傍の干渉波を容易に減衰させ、干渉波による影響を抑制することのできる技術が求められていた。
【０００５】
本発明は、上記の課題を解決することのできる受信装置、送信装置、通信システム、受信装置の制御方法、送信装置の制御方法及びプログラムを提供することを目的としている。
【課題を解決するための手段】
【０００６】
上記目的を達成するために、本発明は、受信した高周波信号をダブルスーパーヘテロダイン方式により復調する受信装置であって、所望の周波数のオフセット信号を発生させるオフセット信号源と、前記オフセット信号を入力し、前記オフセット信号に係る位相と基準信号の位相との比較結果に基づく周波数の第１ローカル信号を出力する第１ＰＬＬを有する第１局部発振器と、前記オフセット信号を入力し、前記オフセット信号に係る位相と基準信号の位相との比較結果に基づく周波数の第２ローカル信号を出力する第２ＰＬＬを有する第２局部発振器と、前記高周波信号と前記第１ローカル信号とを乗算して、第１中間周波数信号を生成する第１ミキサと、前記第１中間周波数信号を通過させるバンドパスフィルタと、前記第２ローカル信号と前記バンドパスフィルタを通過した後の前記第１中間周波数信号とを乗算して、第２中間周波数信号を生成する第２ミキサと、を備え、前記オフセット信号の周波数が変更された場合に、前記第１ローカル信号の周波数の増加分の絶対値が前記第２ローカル信号の周波数の減少分の絶対値に等しくなる前記第１ローカル信号と前記第２ローカル信号とを生成する受信装置である。
【０００７】
また、本発明は、ダブルスーパーヘテロダイン方式により高周波信号に変調する送信装置であって、所望の周波数のオフセット信号を発生させるオフセット信号源と、第１入力基準周波数と第１入力周波数との位相差である第１位相差に応じた発振周波数の第１ローカル信号を生成する第１電圧制御発振器、前記オフセット信号と前記第１ローカル信号とに基づいて生成された信号を通過させ、不要信号を除去して前記第１入力周波数の信号を生成する第１バンドパスフィルタ、を有する第１局部発振器と、第２入力基準周波数と第２入力周波数との位相差である第２位相差に応じた発振周波数の第２ローカル信号を生成する第２電圧制御発振器、前記オフセット信号の逆位相の信号と前記第２ローカル信号とに基づいて生成された信号を通過させ、不要信号を除去して前記第２入力周波数の信号を生成する第２バンドパスフィルタ、を有する第２局部発振器と、前記第１ローカル信号と第２中間周波数信号とを乗算して前記高周波信号を生成する第１ミキサと、第１中間周波数信号と前記第２ローカル信号とを乗算して第２中間周波数信号を生成する第２ミキサと、を備える、送信装置である。
【０００８】
また、本発明は、上記の受信装置と、上記の送信装置と、を備える通信システムである。
【０００９】
また、本発明は、受信した高周波信号をダブルスーパーヘテロダイン方式により復調する受信装置の制御方法であって、所望の周波数のオフセット信号を発生させることと、前記オフセット信号を入力し、前記オフセット信号に係る位相と基準信号の位相との比較結果に基づく周波数の第１ローカル信号を出力することと、前記オフセット信号を入力し、前記オフセット信号に係る位相と基準信号の位相との比較結果に基づく周波数の第２ローカル信号を出力することと、前記高周波信号と前記第１ローカル信号とを乗算して、第１中間周波数信号を生成することと、前記第１中間周波数信号を通過させることと、前記第２ローカル信号とバンドパスフィルタを通過した後の前記第１中間周波数信号とを乗算して、第２中間周波数信号を生成することと、を含み、前記オフセット信号の周波数が変更された場合に、前記第１ローカル信号の周波数の増加分の絶対値が前記第２ローカル信号の周波数の減少分の絶対値に等しくなる前記第１ローカル信号と前記第２ローカル信号とを生成することと、を含むことを特徴とする受信装置の制御方法である。
【００１０】
また、本発明は、ダブルスーパーヘテロダイン方式により高周波信号に変調する送信装置の制御方法であって、所望の周波数のオフセット信号を発生させることと、第１入力基準周波数と第１入力周波数との位相差である第１位相差に応じた発振周波数の第１ローカル信号を生成することと、前記オフセット信号と前記第１ローカル信号とに基づいて生成された信号を通過させ、不要信号を除去して前記第１入力周波数の信号を生成することと、第２入力基準周波数と第２入力周波数との位相差である第２位相差に応じた発振周波数の第２ローカル信号を生成することと、前記オフセット信号の逆位相の信号と前記第２ローカル信号とに基づいて生成された信号を通過させ、不要信号を除去して前記第２入力周波数の信号を生成することと、前記第１ローカル信号と第２中間周波数信号とを乗算して前記高周波信号を生成することと、第１中間周波数信号と前記第２ローカル信号とを乗算して第２中間周波数信号を生成することと、を含む送信装置の制御方法である。
【００１１】
また、本発明は、コンピュータに、所望の周波数のオフセット信号を発生させることと、前記オフセット信号を入力し、前記オフセット信号に係る位相と基準信号の位相との比較結果に基づく周波数の第１ローカル信号を出力することと、前記オフセット信号を入力し、前記オフセット信号に係る位相と基準信号の位相との比較結果に基づく周波数の第２ローカル信号を出力することと、受信した高周波信号と前記第１ローカル信号とを乗算して、第１中間周波数信号を生成することと、前記第１中間周波数信号を通過させることと、前記第２ローカル信号とバンドパスフィルタを通過した後の前記第１中間周波数信号とを乗算して、第２中間周波数信号を生成することと、を実行させ、前記オフセット信号の周波数が変更された場合に、前記第１ローカル信号の周波数の増加分の絶対値が前記第２ローカル信号の周波数の減少分の絶対値に等しくなる前記第１ローカル信号と前記第２ローカル信号とを生成すること、を実行させるプログラムである。
【００１２】
また、本発明は、コンピュータに、所望の周波数のオフセット信号を発生させることと、第１入力基準周波数と第１入力周波数との位相差である第１位相差に応じた発振周波数の第１ローカル信号を生成することと、前記オフセット信号と前記第１ローカル信号とに基づいて生成された信号を通過させ、不要信号を除去して前記第１入力周波数の信号を生成することと、第２入力基準周波数と第２入力周波数との位相差である第２位相差に応じた発振周波数の第２ローカル信号を生成することと、前記オフセット信号の逆位相の信号と前記第２ローカル信号とに基づいて生成された信号を通過させ、不要信号を除去して前記第２入力周波数の信号を生成することと、前記第１ローカル信号と第２中間周波数信号とを乗算して送信する高周波信号を生成することと、第１中間周波数信号と前記第２ローカル信号とを乗算して第２中間周波数信号を生成することと、を実行させるプログラムである。
【発明の効果】
【００１３】
本発明によれば、ダブルスーパーヘテロダイン方式の通信に用いられる受信装置において、通信を行いながら通過帯域の近傍の干渉波を容易に減衰させ、干渉波による影響を抑制することができる。
【図面の簡単な説明】
【００１４】
【図１】本発明の第１の実施形態による受信装置の構成を示す図である。
【図２】本発明の第１の実施形態によるオフセット信号源の構成を示す図である。
【図３】本発明の第１の実施形態による受信装置における各信号の周波数を示す図である。
【図４】本発明の第１の実施形態による受信装置の全体動作を説明するための図である。
【図５】本発明の第１の実施形態における周波数スイープを示す図である。
【図６】関連する技術を用いた受信装置における各信号の周波数を示す図である。
【図７】本発明の第１の実施形態による受信装置における各信号の周波数を示す第１の図である。
【図８】本発明の第１の実施形態による受信装置における各信号の周波数を示す第２の図である。
【図９】本発明の第２の実施形態による受信装置の構成を示す図である。
【図１０】本発明の第３の実施形態による受信装置の構成を示す図である。
【図１１】本発明の第４の実施形態による受信装置における各信号の周波数を示す第１の図である。
【図１２】本発明の第４の実施形態による受信装置における各信号の周波数を示す第２の図である。
【図１３】本発明の第４の実施形態による受信装置における各信号の周波数を示す第３の図である。
【図１４】本発明の第５の実施形態による受信装置の構成を示す図である。
【図１５】本発明の第６の実施形態による受信装置の構成を示す図である。
【図１６】本発明の第７の実施形態による受信装置の構成を示す図である。
【図１７】本発明の第８の実施形態による受信装置の構成を示す図である。
【図１８】本発明の第９の実施形態による受信装置の構成を示す図である。
【図１９】本発明の第１０の実施形態における周波数スイープを示す図である。
【図２０】本発明の第１１の実施形態による通信システムの構成を示す図である。
【図２１】本発明の第１２の実施形態による通信システムの構成を示す図である。
【図２２】本発明の第１３の実施形態において受信装置の構成を示す図である。
【図２３】本発明の実施形態による受信装置の最小構成を示す図である。
【発明を実施するための形態】
【００１５】
＜第１の実施形態＞
以下、図面を参照しながら実施形態について詳しく説明する。
本発明の第１の実施形態による受信装置１の構成について説明する。
本発明の第１の実施形態による受信装置１は、図１に示すように、オフセット信号源１０と、第１局部発振器２０ａと、第２局部発振器２０ｂと、ＲＦ（Ｒａｄｉｏ  Ｆｒｅｑｕｅｎｃｙ）処理部３０と、第１ミキサ４０と、第１ＩＦ（Ｉｎｔｅｒｍｉｄｉａｔｅ  Ｆｒｅｑｕｅｎｃｙ）処理部５０と、第２ミキサ６０と、第２ＩＦ処理部７０と、復調器８０と、を備える。
【００１６】
オフセット信号源１０は、第１ローカル信号ＶＬＯ１の周波数及び第２ローカル信号ＶＬＯ２の周波数を同時に変更するために使用されるオフセット信号Ｖｏｆｆを生成する。オフセット信号Ｖｏｆｆの周波数は、ｆｖｏｆｆである。
なお、第１ローカル信号ＶＬＯ１は、第１局部発振器２０ａによって生成される信号である。また、第２ローカル信号ＶＬＯ２は、第２局部発振器２０ｂによって生成される信号である。
【００１７】
オフセット信号源１０は、例えば、図２に示すように、基準信号源１０１と、分周器１０２と、位相比較器１０３と、ループフィルタ１０４と、ＶＣＯ１０５と、プリスケーラ１０６と、を備える。
【００１８】
基準信号源１０１は、オフセット信号Ｖｏｆｆの位相の基準となる基準電圧Ｖｒｅｆ３を生成する。基準信号源１０１は、例えば、水晶振動子である。
【００１９】
分周器１０２は、基準電圧Ｖｒｅｆ３を（１／Ｍ３）に分周し、分周信号Ｖｍ３を生成する。なお、Ｍ３は１以上の正の整数である。
【００２０】
位相比較器１０３は、分周信号Ｖｍ３の位相と、後述する分周信号Ｖｎ３の位相とを比較する。
位相比較器１０３は、比較結果が示す位相差に比例した誤差信号パルスＶｐｕｌ３を生成する。具体的には、位相比較器１０３は、分周信号Ｖｍ３の位相に対して分周信号Ｖｎ３の位相が進んでいれば、その位相のずれの大きさに比例した大きな電圧を出力する。また、位相比較器１０３は、分周信号Ｖｍ３の位相に対して分周信号Ｖｎ３の位相が遅れていれば、その位相のずれの大きさに比例した小さな電圧を出力する。
【００２１】
ループフィルタ１０４は、誤差信号パルスＶｐｕｌ３を平滑化した直流電圧Ｖｄｃ３を生成する。
【００２２】
ＶＣＯ１０５は、直流電圧Ｖｄｃ３に応じた発振周波数ｆｖｌｏ３で発振するオフセット信号Ｖｏｆｆを生成する。例えば、ＶＣＯ１０５は、直流電圧Ｖｄｃ１が高電圧になるほど高周波数の発振周波数ｆｖｏｆｆで発振するオフセット信号Ｖｏｆｆを生成する。
【００２３】
プリスケーラ１０６は、例えば、高速カウンタによる分周作用を利用して、帰還信号Ｖｂｐｆ３を（１／Ｎ３）に分周し、分周信号Ｖｎ３を生成する。なお、Ｎ３は１以上の正の整数である。
【００２４】
上記のように、オフセット信号源１０は、水晶振動子などの発振周波数が安定した基準信号源１０１と、分周器１０２、位相比較器１０３、ループフィルタ１０４、ＶＣＯ１０５、プリスケーラ１０６により構成されるＰＬＬ（Ｐｈａｓｅ  Ｌｏｃｋｅｄ  Ｌｏｏｐ）と、を備える。
【００２５】
第１局部発振器２０ａは、オフセット信号Ｖｏｆｆの周波数ｆｖｏｆｆの変化に伴って周波数が変化する第１ローカル信号ＶＬＯ１を生成する。第１局部発振器２０ａは、図１に示すように、基準信号源２０１ａと、分周器２０２ａと、位相比較器２０３ａと、ループフィルタ２０４ａと、ＶＣＯ２０５ａ（第１電圧制御発振器）と、ミキサ２０６ａと、バンドパスフィルタ２０７ａ（第１バンドパスフィルタ）と、プリスケーラ２０８ａと、を備える。
【００２６】
基準信号源２０１ａは、第１局部発振器２０ａが生成する第１ローカル信号ＶＬＯ１の位相の基準となる基準信号Ｖｒｅｆ１を生成する。基準信号源２０１ａは、例えば、水晶振動子である。
【００２７】
分周器２０２ａは、基準信号Ｖｒｅｆ１を（１／Ｍ１）に分周し、分周信号Ｖｍ１を生成する。なお、Ｍ１は１以上の正の整数である。
【００２８】
位相比較器２０３ａは、分周信号Ｖｍ１の位相と、後述する分周信号Ｖｎ１の位相とを比較する。
位相比較器２０３ａは、比較結果が示す位相差に比例した誤差信号パルスＶｐｕｌ１を生成する。具体的には、位相比較器２０３ａは、分周信号Ｖｍ１の位相に対して分周信号Ｖｎ１の位相が進んでいれば、その位相のずれの大きさに比例した大きな電圧を出力する。また、位相比較器２０３ａは、分周信号Ｖｍ１の位相に対して分周信号Ｖｎ１の位相が遅れていれば、その位相のずれの大きさに比例した小さな電圧を出力する。
【００２９】
ループフィルタ２０４ａは、誤差信号パルスＶｐｕｌ１を平滑化した直流電圧Ｖｄｃ１を生成する。
【００３０】
ＶＣＯ２０５ａは、直流電圧Ｖｄｃ１に応じた発振周波数ｆｖｌｏ１で発振する第１ローカル信号ＶＬＯ１を生成する。例えば、ＶＣＯ２０５ａは、直流電圧Ｖｄｃ１が高電圧になるほど高周波数の発振周波数ｆｖｌｏ１で発振する第１ローカル信号ＶＬＯ１を生成する。
【００３１】
ミキサ２０６ａは、第１ローカル信号ＶＬＯ１と、オフセット信号Ｖｏｆｆとを乗算し、帰還信号Ｖｆｂ１を生成する。
【００３２】
バンドパスフィルタ２０７ａは、ミキサ２０６ａで発生した希望信号以外のスプリアスと第１ローカル信号ＶＬＯ１を除去する。
【００３３】
プリスケーラ２０８ａは、例えば、高速カウンタによる分周作用を利用して、帰還信号Ｖｂｐｆ１を（１／Ｎ１）に分周し、分周信号Ｖｎ１を生成する。なお、Ｎ１は１以上の正の整数である。
【００３４】
第２局部発振器２０ｂは、オフセット信号Ｖｏｆｆの周波数ｆｖｏｆｆの変化に伴って周波数が変化する第２ローカル信号ＶＬＯ２を生成する。第２局部発振器２０ｂは、図１に示すように、基準信号源２０１ｂと、分周器２０２ｂと、位相比較器２０３ｂと、ループフィルタ２０４ｂと、ＶＣＯ２０５ｂ（第２電圧制御発振器）と、ミキサ２０６ｂと、バンドパスフィルタ２０７ｂ（第２バンドパスフィルタ）と、プリスケーラ２０８ｂと、を備える。
【００３５】
基準信号源２０１ｂは、第２局部発振器２０ｂが生成する第２ローカル信号ＶＬＯ２の位相の基準となる基準信号Ｖｒｅｆ２を生成する。基準信号源２０１ｂは、例えば、水晶振動子である。なお、基準信号源１０１、基準信号源２０１ａ、基準信号源２０１ｂは、共通の１つの水晶振動子であってもよい。
【００３６】
分周器２０２ｂは、基準信号Ｖｒｅｆ２を（１／Ｍ２）に分周し、分周信号Ｖｍ２を生成する。なお、Ｍ２は１以上の正の整数である。
【００３７】
位相比較器２０３ｂは、分周信号Ｖｍ２の位相と、後述する分周信号Ｖｎ２の位相とを比較する。
位相比較器２０３ｂは、比較結果が示す位相差に比例した誤差信号パルスＶｐｕｌ２を生成する。
【００３８】
ループフィルタ２０４ｂは、位相比較器２０３ｂから誤差信号パルスＶｐｕｌ２を受信する。
ループフィルタ２０４ｂは、誤差信号パルスＶｐｕｌ２に応じた直流電圧Ｖｄｃ２を生成する。
【００３９】
ＶＣＯ２０５ｂは、直流電圧Ｖｄｃ２に応じた発振周波数ｆｖｌｏ２で発振する第２ローカル信号ＶＬＯ２を生成する。例えば、ＶＣＯ２０５ｂは、直流電圧Ｖｄｃ２が高電圧になるほど高周波数の発振周波数ｆｖｌｏ２で発振する第２ローカル信号ＶＬＯ２を生成する。
【００４０】
ミキサ２０６ｂは、第２ローカル信号ＶＬＯ２と、オフセット信号Ｖｏｆｆとを乗算して、帰還信号Ｖｆｂ２を生成する。
【００４１】
バンドパスフィルタ２０７ｂは、ミキサ２０６ｂで発生した希望信号以外のスプリアスと第２ローカル信号ＶＬＯ２を除去する。
【００４２】
プリスケーラ２０８ｂは、例えば、高速カウンタによる分周作用を利用して、受信した帰還信号Ｖｂｐｆ２を（１／Ｎ２）に分周し、分周信号Ｖｎ２を生成する。なお、Ｎ２は１以上の正の整数である。
【００４３】
ＲＦ処理部３０は、図示していないアンテナを介して受信した高周波信号に対してデュプレクサ、バンドパスフィルタなどによる干渉波の除去、アンプによる増幅および低雑音指数の確保、アッテネータによる信号レベルの調整などの信号処理を行い、高周波信号ＶＲＦを生成する。
【００４４】
第１ミキサ４０は、第１ローカル信号ＶＬＯ１と、高周波信号ＶＲＦとを乗算して、周波数ｆｖｉｆ１の第１中間周波数信号ＶＩＦ１を生成する。なお、周波数ｆｖｉｆ１は、第１ローカル信号ＶＬＯ１の周波数ｆｖｌｏ１と高周波信号ＶＲＦの周波数ｆｖｒｆとの差の絶対値｜ｆｖｌｏ１−ｆｖｒｆ｜を示す信号とを含む。
【００４５】
第１ＩＦ処理部５０は、第１ＩＦ処理部Ａ５０ａと、バンドパスフィルタ５０ｂと、第１ＩＦ処理部Ｂ５０ｃと、ＣＮ判定部５０ｄと、を備える。第１ＩＦ処理部５０は、第１ＩＦ処理部Ａ５０ａと、第１ＩＦ処理部Ｂ５０ｃとにより、増幅などの信号処理を行う。第１ＩＦ処理部５０において、バンドパスフィルタ５０ｂは、帯域幅の最も広い第１中間周波数信号ＶＩＦ１を通過させることのできるバンドパスフィルタである。例えば、変調信号帯域が１００ＭＨｚの信号と５ＭＨｚの信号に対応している場合、バンドパスフィルタ５０ｂの通過帯域は１００ＭＨｚとする。したがって、変調信号帯域が５ＭＨｚである場合、第１中間周波数信号の周波数ｆｖｉｆ１から＋／−４７．５ＭＨｚずらしても、５ＭＨｚの信号はバンドパスフィルタ５０ｂを通過してしまう。バンドパスフィルタ５０ｂは、各変調波信号帯域ごとに分かれており、スイッチによって変調波帯域に応じたバンドパスフィルタに振り分けられる。本発明の実施形態によるバンドパスフィルタ５０ｂは、オフセット信号によりバンドパスフィルタ５０ｂの通過帯域の端に相当する周波数に信号周波数を変更させて不要信号を減衰させる。また、第１ＩＦ処理部５０は、ＣＮ判定部５０ｄにより、信号強度とその他の雑音（熱雑音、スプリアス）強度の比を表す搬送波対雑音比（ＣＮ比）に基づいて、第１中間周波数信号ＶＩＦ１の周波数ｆｖｉｆ１の近傍の干渉波を検知する。具体的には、第１ＩＦ処理部５０は、ＣＮ判定部５０ｄが搬送波対雑音比が所定のしきい値よりも大きい場合に第１中間周波数信号ＶＩＦ１の周波数ｆｖｉｆ１の近傍の干渉波を検知したと判定する。
【００４６】
第２ミキサ６０は、第２ローカル信号ＶＬＯ２と、第１中間周波数信号ＶＩＦ１とを乗算して、周波数ｆｖｉｆ２の第２中間周波数信号ＶＩＦ２を生成する。なお、周波数ｆｖｉｆ２は、第２ローカル信号ＶＬＯ２の周波数ｆｖｌｏ２と第１中間周波数信号ＶＩＦ１の周波数ｆｖｉｆ１との差の絶対値｜ｆｖｌｏ２−ｆｖｉｆ１｜を示す信号とを含む。
【００４７】
第２ＩＦ処理部７０は、第２ＩＦ処理部Ａ７０ａと、バンドパスフィルタ７０ｂと、第２ＩＦ処理部Ｂ７０ｃと、を備える。第２ＩＦ処理部７０は、第２ＩＦ処理部Ａ７０ａと、第２ＩＦ処理部Ｂ７０ｃとにより、第２中間周波数信号ＶＩＦ２に対して増幅するなどの信号処理を行う。また、第２ＩＦ処理部７０は、第２中間周波数信号ＶＩＦ２に対してバンドパスフィルタ７０ｂを通過させるなどして不要な干渉波信号を減衰させるなどの信号処理を行う。このバンドパスフィルタ７０ｂは、通過帯域が異なる複数のバンドパスフィルタとそれぞれを変調波帯域ごとにスイッチで切り替える構成である。
【００４８】
復調器８０は、受信した第２中間周波数信号ＶＩＦ２に対して信号を復調する処理を行う。また、復調器８０は、第２中間周波数信号ＶＩＦ２の周波数ｆｖｉｆ２の近傍の搬送波対雑音比（ＣＮ比）を算出する。なお、ここでの搬送波対雑音比とは、信号強度とその他の雑音強度(熱雑音、スプリアスなどの強度)の比のことである。
オフセット信号源１０の周波数は、復調器８０が算出した搬送波対雑音比に基づいて制御すればよい。具体的には、オフセット信号源１０の周波数は、その周波数範囲のうち搬送波対雑音比が最もよくなる周波数とすればよい。
【００４９】
このような構成により、第１局部発振器２０ａにおいてヘテロダイン構造を持たせた場合、オフセット信号源１０と第１局部発振器２０ａにおける各周波数は、図３に示すような値となる。第１局部発振器２０ａが出力する第１ローカル信号の周波数ｆｖｌｏ１は、オフセット信号Ｖｏｆｆと第１ローカル信号ＶＬＯ１をミキサ２０６ａで乗算して決定され、第１ローカル信号の周波数ｆｖｌｏ１＝Ｎ１／（ａ１×Ｍ１）ｆｖｒｅｆ１−（ｂ１／ａ１）ｆｖｏｆｆのような関係が成り立つ。オフセット信号Ｖｏｆｆの係数は、第１局部発振器２０ａにおける分周率Ｎ１、Ｍ１に依存しない。そのため、オフセット信号源１０と第１局部発振器２０ａは、別々に設計することができる。その結果、オフセット信号源１０におけるループフィルタ１０４を周波数の変化に対して非常にゆっくりと対応できるように設計することができ、オフセット信号Ｖｏｆｆでは通信時にＢＥＲ（Ｂｉｔ  Ｅｒｒｏｒ  Ｒａｔｅ）が０となる（ビットエラーが生じない）緩やかな変動を設定することができる。また、分解能を細かくすることで、一度の周波数の変化量の絶対値を小さくすることができる。このように、オフセット信号源１０についてオフセット信号ＶｏｆｆでＢＥＲが０となる設計を行うことで、周波数を変化させながら通信をすることができる。
また、第２局部発振器２０ｂについても、第１局部発振器２０ａと同様に、オフセット信号源１０と別々に、設計できるため、第１局部発振器２０ａと第２局部発振器２０ｂのそれぞれに同一のオフセット信号Ｖｏｆｆを入力した場合にも、第２中間周波数信号の周波数ｆｖｉｆ２は変更せずに済む。
【００５０】
次に、本発明の第１の実施形態による受信装置１の動作について説明する。
（受信装置１の全体動作）
まず、本発明の第１の実施形態による受信装置１の全体の動作の概要を説明する。
図４は、ダブルスーパーヘテロダイン方式の通信に用いられる受信装置１における第１ＩＦ処理部５０と第２ＩＦ処理部７０のそれぞれにおけるバンドパスフィルタの処理のイメージ図である。
図４における（Ａ）の部分（以下、「図４（Ａ）」と記載）は、比較の対象となる関連する技術の一般的な受信装置が備えるバンドパスフィルタの特性（ＢＰＦ１ａ、ＢＰＦ２ａ）と高周波信号（ＲＦ信号ａ、干渉波ａ）との関係を示している。
図４における（Ｂ）の部分（以下、「図４（Ｂ）」と記載）は、本発明の第１の実施形態による受信装置１が備えるバンドパスフィルタの特性（ＢＰＦ１ｂ、ＢＰＦ２ｂ）と高周波信号（ＲＦ信号ｂ、干渉波ｂ）との関係を示している。
【００５１】
ダブルスーパーヘテロダイン方式の通信に用いられる関連する技術の一般的な受信装置の第１のバンドパスフィルタの特性ＢＰＦ１ａは、最も広い変調波信号帯域幅に合わせて設計される。また、第２のバンドパスフィルタの特性ＢＰＦ２ａは、ダウンコンバート後の信号を通過させる第１のバンドパスフィルタの特性ＢＰＦ１ａよりも狭い通過帯域特性を有する。
図４（Ａ）に示すように、ＲＦ信号ａと干渉波ａとが、第１のバンドパスフィルタの通過帯域内にある場合、第１のバンドパスフィルタでは干渉波ａを減衰させることができない。また、第２のバンドパスフィルタにおいてダウンコンバート後のＲＦ信号ａのみを通過させ、干渉波ａを減衰させることは困難である。
【００５２】
本発明の第１の実施形態による受信装置１の第１ＩＦ処理部５０が備えるバンドパスフィルタ５０ｂの特性ＢＰＦ１ｂは、関連する技術の一般的な受信装置の第１のバンドパスフィルタの特性ＢＰＦ１ａと同一である。また、本発明の第１の実施形態による受信装置１の第２ＩＦ処理部７０が備える図示していないバンドパスフィルタの特性ＢＰＦ２ｂは、関連する技術の一般的な受信装置の第２のバンドパスフィルタの特性ＢＰＦ２ａと同一である。
本発明の第１の実施形態による受信装置１は、図４（Ｂ）に示すように、ＲＦ信号ｂの周波数がバンドパスフィルタ５０ｂの通過帯域内となり、干渉波ｂの周波数がバンドパスフィルタＢＰＦ１ｂの通過帯域外となるように、オフセット信号Ｖｏｆｆを用いて、ＲＦ信号ｂの周波数と干渉波ｂの周波数とを変更する。これにより、本発明の第１の実施形態による受信装置１は、干渉波のみを減衰させることができる。また、ダウンコンバート後のＲＦ信号ｂの周波数と干渉波ｂの周波数とは、オフセット信号Ｖｏｆｆを用いて、関連する技術の一般的な受信装置におけるダウンコンバート後のＲＦ信号ａの周波数と干渉波ａとにそれぞれ変換される。
【００５３】
このように、本発明の第１の実施形態による受信装置１は、オフセット信号Ｖｏｆｆを用いて、バンドパスフィルタ５０ｂを通過するＲＦ信号ｂの周波数と干渉波ｂの周波数とを変更することにより、干渉波ｂのみを減衰させることができる。
ここでの説明からもわかるように、本発明の第１の実施形態による受信装置１は、第１中間周波ＩＦ１信号の周波数をＢＰＦ１の端までずらすことで第１中間周波ＩＦ１信号の近傍の信号を予め減衰させる。その結果、第２中間周波ＩＦ２信号の信号周波数は一定であるにもかかわらず、第２中間周波ＩＦ２信号の信傍の不要信号を関連する技術を用いた場合に比べて大きく減衰させることができる。
【００５４】
（オフセット信号源１０の動作）
オフセット信号源１０は、第１ローカル信号ＶＬＯ１の周波数及び第２ローカル信号ＶＬＯ２の周波数を同時に変更するために使用されるオフセット信号Ｖｏｆｆを生成する。
オフセット信号源１０は、生成したオフセット信号Ｖｏｆｆを第１局部発振器２０ａ、第２局部発振器２０ｂのそれぞれに送信する。例えば、オフセット信号源１０が生成するオフセット信号Ｖｏｆｆは、第１ローカル信号ＶＬＯ１の周波数及び第２ローカル信号ＶＬＯ２の周波数の差に応じた電圧を有する信号である。第１局部発振器２０ａ及び第２局部発振器２０ｂのそれぞれは、ＰＬＬを有し、オフセット信号ＶｏｆｆがＰＬＬに送信されることにより第１ローカル信号ＶＬＯ１または第２ローカル信号ＶＬＯ２の発振周波数が他方に近づくように変化する。
【００５５】
（第１局部発振器２０ａの動作）
基準信号源２０１ａは、第１局部発振器２０ａが生成する第１ローカル信号ＶＬＯ１の位相の基準となる基準信号Ｖｒｅｆ１を生成する。
基準信号源２０１ａは、生成した基準信号Ｖｒｅｆ１を分周器２０２ａに送信する。
【００５６】
分周器２０２ａは、基準信号源２０１ａから基準信号Ｖｒｅｆ１を受信する。
分周器２０２ａは、受信した基準信号Ｖｒｅｆ１を（１／Ｍ１）に分周し、分周信号Ｖｍ１を生成する。
分周器２０２ａは、生成した分周信号Ｖｍ１を位相比較器２０３ａに送信する。
【００５７】
位相比較器２０３ａは、分周器２０２ａから分周信号Ｖｍ１を受信する。
また、位相比較器２０３ａは、プリスケーラ２０８ａから分周信号Ｖｎ１を受信する。
位相比較器２０３ａは、受信した分周信号Ｖｍ１の位相と、受信した分周信号Ｖｎ１の位相とを比較する。
位相比較器２０３ａは、比較結果が示す位相差に比例した誤差信号パルスＶｐｕｌ１を生成する。
位相比較器２０３ａは、生成した誤差信号パルスＶｐｕｌ１をループフィルタ２０４ａに送信する。
【００５８】
ループフィルタ２０４ａは、位相比較器２０３ａから誤差信号パルスＶｐｕｌ１を受信する。
ループフィルタ２０４ａは、受信した誤差信号パルスＶｐｕｌ１に応じた直流電圧Ｖｄｃ１を生成する。
ループフィルタ２０４ａは、生成した直流電圧Ｖｄｃ１をＶＣＯ２０５ａに送信する。
【００５９】
ＶＣＯ２０５ａは、ループフィルタ２０４ａから直流電圧Ｖｄｃ１を受信する。
ＶＣＯ２０５ａは、受信した直流電圧Ｖｄｃ１に応じた発振周波数ｆｖｌｏ１で発振する第１ローカル信号ＶＬＯ１を生成する。
ＶＣＯ２０５ａは、生成した第１ローカル信号ＶＬＯ１を第１ミキサ４０に送信する。また、ＶＣＯ２０５ａは、生成した第１ローカル信号ＶＬＯ１をミキサ２０６ａに送信する。
【００６０】
ミキサ２０６ａは、ＶＣＯ２０５ａから第１ローカル信号ＶＬＯ１を受信する。
また、ミキサ２０６ａは、オフセット信号源１０からオフセット信号Ｖｏｆｆを受信する。
ミキサ２０６ａは、受信した第１ローカル信号ＶＬＯ１と、受信したオフセット信号Ｖｏｆｆとを乗算し、帰還信号Ｖｆｂ１を生成する。具体的には、ミキサ２０６ａは、第１ローカル信号ＶＬＯ１の周波数ｆｖｌｏ１と、オフセット信号Ｖｏｆｆの周波数ｆｖｏｆｆとを乗算して、帰還信号Ｖｆｂ１として周波数｜ｆｖｌｏ１−ｆｖｏｆｆ｜の信号、より具体的には、（ａ１×ｆｖｌｏ１＋ｂ１×ｆｖｏｆｆ）の周波数成分の信号を生成する。
ミキサ２０６ａは、生成した帰還信号Ｖｆｂ１をバンドパスフィルタ２０７ａに送信する。
【００６１】
このとき、オフセット信号源１０は、オフセット信号のセンター周波数ｆｃｅｎｔからプラス側とマイナス側にそれぞれ所定の周波数Δｆの範囲で周波数をスイープさせて、（ｆｃｅｎｔ−Δｆ）〜（ｆｃｅｎｔ＋Δｆ）の周波数の範囲のオフセット信号Ｖｏｆｆを生成し、ミキサ２０６ａに送信している。
バンドパスフィルタ２０７ａは、オフセット信号のセンター周波数ｆｃｅｎｔを中心として所定の周波数Δｆの範囲で周波数をスイープさせたときに、ミキサ２０６ａで発生した希望信号以外のスプリアスと第１ローカル信号ＶＬＯ１を除去する。
具体的には、まず、オフセット信号のセンター周波数ｆｃｅｎｔを、所定の周波数Δｆの範囲が示す周波数に対して５~１０倍程度以上の周波数に設計する。例えば、所定の周波数Δｆの範囲が＋／−５０ＭＨｚとする場合には、オフセット信号のセンター周波数ｆｃｅｎｔをその１０倍の５００ＭＨｚに設計する。センター周波数ｆｃｅｎｔを５００ＭＨｚ、所定の周波数Δｆを５０ＭＨｚに設計し、第１ローカル信号の周波数ｆｖｌｏ１が１３ＧＨｚである場合には、バンドパスフィルタ２０７ａは、センター周波数が１２．５ＧＨｚ（１３ＧＨｚ−５００ＭＨｚ）で通過帯域が１００ＭＨｚ（５０ＭＨｚ−（−５０ＭＨｚ））となるバンドパスフィルタであればよい。
このようにすれば、バンドパスフィルタ２０７ａは、第１ローカル信号Ｖｌｏ１（１３ＧＨｚ）、第１ローカル信号Ｖｌｏ１の周波数からオフセット信号Ｖｏｆｆの２倍の周波数を減じた信号（１１．９ＧＨｚ〜１２．１ＧＨｚ）、すなわちスプリアスを減衰させることができる。
図５に示すように、第１中間周波数を設定可能下限周波数ｆｍｉｎから設定可能上限周波数ｆｍａｘまで変化する。オフセット信号の周波数ｆｖｏｆｆは、センター周波数ｆｃｅｎｔを中心としてプラス側とマイナス側とに（ｆｃｅｎｔ−Δｆ）〜（ｆｃｅｎｔ＋Δｆ）まで周波数をスイープさせたときに、ＣＮ比が最もよくなる第１中間周波数ｆｖｉｆ１＝ｆ１となる周波数を設定すればよい。
なお、通信しながら周波数ｆｖｌｏ１及びｆｖｌｏ２を変更するには、周波数の分解能を細かくし、周波数応答を緩やかにする必要がある。しかしながら、分解能を細かくするために信号Ｖｒｅｆ１及びＶｒｅｆ２の周波数を小さくするか、分周器２０２ａ及びプリスケーラ２０８ａの分周率Ｍを大きくすると、応答、ノイズ、スプリアスといった点から好ましくない特性へと変化するためそのような変更には限度がある。また、ループフィルタ２０４ａは位相雑音や通常の応答によって設計が決まっており、干渉波を対策するために設計を変更することは望ましくない。
そこで、本発明の第１の実施形態による受信装置１では、第１局部発振器２０ａ及び第２局部発振器２０ｂのそれぞれにヘテロダイン構造を設けることにより、ＰＬＬの設定を変更せずに、第１局部発振器２０ａ及び第２局部発振器２０ｂのそれぞれに入力するオフセット信号の周波数ｆｖｏｆｆを変更する。これにより、各ＰＬＬにおける分周率を変更せずに、第２中間周波ＩＦ２信号の周波数一定に保ったまま、第１中間周波ＩＦ１信号の周波数のみを変化させることができる。また、第１局部発振器２０ａ及び第２局部発振器２０ｂにおいて位相雑音、スプリアス、応答特性などを最適化した設定を変更せずに、第２中間周波ＩＦ２信号の周波数一定に保ったまま、第１中間周波ＩＦ１信号の周波数のみを変化させることができる。また、オフセット信号源１０が生成するオフセット信号の周波数ｆｖｏｆｆを変更するのみで、第１中間周波ＩＦ１信号の周波数を、水晶振動子の周波数を変動させた場合に比べてより広範囲に変更することができる。
【００６２】
バンドパスフィルタ２０７ａは、生成した帰還信号Ｖｂｐｆ１をプリスケーラ２０８ａに出力する。
【００６３】
プリスケーラ２０８ａは、バンドパスフィルタ２０７ａから帰還信号Ｖｂｐｆ１を受信する。
プリスケーラ２０８ａは、受信した帰還信号Ｖｂｐｆ１を（１／Ｎ１）に分周し、分周信号Ｖｎ１を生成する。
プリスケーラ２０８ａは、生成した分周信号Ｖｎ１を位相比較器２０３ａに送信する。
【００６４】
上記の構成の第１局部発振器２０ａにおいて、ミキサ２０６ａは、バンドパスフィルタ２０７ａによって選択された（ａ１、ｂ１）の組み合わせにより表される周波数が（ａ１×ｆｖｌｏ１＋ｂ１×ｆｖｏｆｆ）＝ｆｖｌｏ１ａの信号ｖｌｏ１ａを生成する。ミキサ２０６ａは、生成した信号ｖｌｏ１ａをプリスケーラ２０８ａに送信する。
プリスケーラ２０８ａは、ミキサ２０６ａが生成した信号ｖｌｏ１ａの周波数ｆｖｌｏ１ａをＮ１分周し、周波数（ｆｖｌｏ１ａ／Ｎ１）の信号を生成し位相比較器２０３ａに送信する。
位相比較器２０３ａは、周波数（ｆｖｌｏ１ａ／Ｎ１）の信号と周波数（ｆｖｒｅｆ１／Ｍ１）の参照信号とを比較し、両信号の位相差に応じた制御電圧をループフィルタ２０４ａを介してＶＣＯ２０５ａに送信する。
第１局部発振器２０ａにおいて、ＶＣＯ２０６ａは、位相比較器２０３ａから制御電圧を受けて安定した第１ローカル信号ＶＬＯ１を第１ミキサ４０に送信する。
このとき、第１ローカル信号の周波数ｆＬＯ１、オフセット信号の周波数ｆｖｏｆｆ、信号ｖｒｅｆ１の周波数ｆｖｒｅｆ１の関係は、周波数ｆｖｌｏ１＝（Ｎ１／（Ｍ１ａ１））ｆｖｒｅｆ１−（ｂ１／ａ１）ｆｖｏｆｆとなる。同様に、第２ローカル信号の周波数ｆＬＯ２、オフセット信号の周波数ｆｖｏｆｆ、信号ｖｒｅｆ２の周波数ｆｖｒｅｆ２の関係は、周波数ｆｖｌｏ２＝（Ｎ２／（Ｍ２ａ２））ｆｖｒｅｆ−（ｂ２／ａ２）ｆｖｏｆｆとなる。
簡単に表記するため、ｆｖｌｏ１＿０＝（Ｎ１／（Ｍ１ａ１））ｆｖｒｅｆ、ｆｖｌｏ２＿０＝（Ｎ２／（Ｍ２ａ２））ｆｖｅｆとすると、周波数ｆｖｌｏ１＝ｆｖｌｏ１＿０−（ｂ１／ａ１）ｆｖｏｆｆ、周波数ｆｖｌｏ２＝ｆｖｌｏ２＿０−（ｂ２／ａ２）と表すことができる。
【００６５】
（第２局部発振器２０ｂの動作）
基準信号源２０１ｂは、第２局部発振器２０ｂが生成する第２ローカル信号ＶＬＯ２の位相の基準となる基準信号Ｖｒｅｆ２を生成する。
基準信号源２０１ｂは、生成した基準信号Ｖｒｅｆ２を分周器２０２ｂに送信する。
【００６６】
分周器２０２ｂは、基準信号源２０１ｂから基準信号Ｖｒｅｆ２を受信する。
分周器２０２ｂは、受信した基準信号Ｖｒｅｆ２を（１／Ｍ２）に分周し、分周信号Ｖｍ２を生成する。
分周器２０２ｂは、生成した分周信号Ｖｍ２を位相比較器２０３ｂに送信する。
【００６７】
位相比較器２０３ｂは、分周器２０２ｂから分周信号Ｖｍ２を受信する。
また、位相比較器２０３ｂは、プリスケーラ２０８ｂから分周信号Ｖｎ２を受信する。
位相比較器２０３ｂは、受信した分周信号Ｖｍ２の位相と、受信した分周信号Ｖｎ２の位相とを比較する。
位相比較器２０３ｂは、比較結果が示す位相差に比例した誤差信号パルスＶｐｕｌ２をループフィルタ２０４ｂに送信する。
位相比較器２０３ｂは、生成した誤差信号パルスＶｐｕｌ２をループフィルタ２０４ｂに送信する。
【００６８】
ループフィルタ２０４ｂは、位相比較器２０３ｂから誤差信号パルスＶｐｕｌ２を受信する。
ループフィルタ２０４ｂは、受信した誤差信号パルスＶｐｕｌ２に応じた直流電圧Ｖｄｃ２を生成する。
ループフィルタ２０４ｂは、生成した直流電圧Ｖｄｃ２をＶＣＯ２０５ｂに送信する。
【００６９】
ＶＣＯ２０５ｂは、ループフィルタ２０４ｂから直流電圧Ｖｄｃ２を受信する。
ＶＣＯ２０５ｂは、受信した直流電圧Ｖｄｃ２に応じた発振周波数ｆｖｌｏ２で発振する第２ローカル信号ＶＬＯ２を生成する。
ＶＣＯ２０５ｂは、生成した第２ローカル信号ＶＬＯ２を第２ミキサ６０に送信する。
また、ＶＣＯ２０５ｂは、生成した第２ローカル信号ＶＬＯ２をミキサ２０６ｂに送信する。
【００７０】
ミキサ２０６ｂは、ＶＣＯ２０５ｂから第２ローカル信号ＶＬＯ２を受信する。
また、ミキサ２０６ｂは、オフセット信号源１０からミキサ２０６ａが受信するオフセット信号Ｖｏｆｆと同一の信号を受信する。
ミキサ２０６ｂは、受信した第２ローカル信号ＶＬＯ２と、受信したオフセット信号Ｖｏｆｆとを乗算し、帰還信号Ｖｆｂ２を生成する。
ミキサ２０６ｂは、生成した帰還信号Ｖｆｂ２をバンドパスフィルタ２０７ｂに送信する。
【００７１】
バンドパスフィルタ２０７ｂは、生成した帰還信号Ｖｂｐｆ２をプリスケーラ２０８ｂに出力する。
【００７２】
プリスケーラ２０８ｂは、バンドパスフィルタ２０７ｂから帰還信号Ｖｂｐｆ２を受信する。
プリスケーラ２０８ｂは、受信した帰還信号Ｖｂｐｆ２を（１／Ｎ２）に分周し、分周信号Ｖｎ２を生成する。
プリスケーラ２０８ｂは、生成した分周信号Ｖｎ２を位相比較器２０３ｂに送信する。
【００７３】
（ＲＦ処理部３０の動作）
ＲＦ処理部３０は、図示していないアンテナを介して受信した高周波信号に対してデュプレクサ、バンドパスフィルタなどによる干渉波の除去、アンプによる増幅および低雑音指数の確保、アッテネータによる信号レベルの調整などの信号処理を行い、高周波信号ＶＲＦを生成する。
ＲＦ処理部３０は、生成した高周波信号ＶＲＦを第１ミキサ４０に送信する。
【００７４】
（第１ミキサ４０の動作）
第１ミキサ４０は、ＶＣＯ２０５ａから第１ローカル信号ＶＬＯ１を受信する。
また、第１ミキサ４０は、ＲＦ処理部３０から高周波信号ＶＲＦを受信する。
第１ミキサ４０は、受信した第１ローカル信号ＶＬＯ１と、受信した高周波信号ＶＲＦとを乗算して、周波数ｆｖｉｆ１の第１中間周波数信号ＶＩＦ１を生成する。具体的には、高周波信号ＶＲＦをダウンコンバートする場合、第１ミキサ４０は、第１ローカル信号ＶＬＯ１と、高周波信号ＶＲＦとを乗算して、周波数ｆｖｉｆ１＝｜ｆｖｒｆ−ｆｖｌｏ１｜の第１中間周波数信号ＶＩＦ１を生成する。なお、第１ローカル信号ＶＬＯ１は、所望の第１中間周波数信号ＶＩＦ１を取り出すための所定の周波数を有する信号である。第１ローカル信号ＶＬＯ１としては、高周波信号の周波数ｆｖｒｆよりも第１中間周波数信号の周波数ｆｖｉｆ１の分だけ高い周波数を有する第１ローカル信号ＶＬＯ１と、高周波信号の周波数ｆｒｅｆよりも第１中間周波数信号の周波数ｆｖｉｆ１の分だけ低い周波数を有する第１ローカル信号ＶＬＯ１の２つが存在する。例えば、高周波信号の周波数ｆｖｒｆが１５ＧＨｚで、第１中間周波数信号の周波数ｆｖｉｆ１が２ＧＨｚである場合、第１ローカル信号の周波数ｆｖｌｏ１は、１３ＧＨｚ（＝１５ＧＨｚ−２ＧＨｚ）と１７ＧＨｚ（＝１５ＧＨｚ＋２ＧＨｚ）の信号の２つが存在する。第１ミキサ４０は、２つの第１ローカル信号ＶＬＯ１のうちのどちらかの周波数の第１ローカル信号ＶＬＯ１と、高周波信号ＶＲＦとを乗算して周波数｜ｆｖｒｆ−ｆｖｌｏ１｜の第１中間周波数信号ＶＩＦ１を生成すればよい。
このとき、周波数ｆｖｌｏ１を＋Δｆずらすと、＋Δｆずらした後の第１中間周波数信号ＶＩＦ１の周波数ｆｖｉｆ１ａは、ｆｖｉｆ１ａ＝ｆｖｒｆ−（ｆｖｌｏ１＋Δｆ）＝ｆｖｉｆ１−Δｆとなり、−Δｆずれる。
ここで、（ａ１、ｂ１）＝（１、−１）とし、第１ミキサ４０が第１ローカル信号ｖｌｏ１を用いて、高周波信号ＶＲＦを第１中間周波数信号Ｖｉｆ１に変換する際にＵＳＢを用いる場合を考える。
このとき、第１中間周波数信号の周波数ｆｖｉｆ１＝ｆｖｒｆ−ｆｖｌｏ１＝ｆｖｒｆ−ｆｖｌｏ１＿０−ｆｖｏｆｆとなる。この式から、第１中間周波数信号の周波数ｆｖｉｆ１は、オフセット信号の周波数ｆｖｏｆｆに依存することがわかる。
第１ミキサ４０は、生成した第１中間周波数信号ＶＩＦ１を第１ＩＦ処理部５０に送信する。
【００７５】
（第１ＩＦ処理部５０の動作）
第１ＩＦ処理部５０は、第１ミキサ４０から第１中間周波数信号ＶＩＦ１を受信する。
第１ＩＦ処理部５０は、第１中間周波数信号ＶＩＦ１に対してバンドパスフィルタ５０ｂを通過させる。バンドパスフィルタ５０ｂは、帯域幅の最も広い第１中間周波信号ＶＩＦ１を通過させることのできるバンドパスフィルタである。そのため、このバンドパスフィルタ５０ｂは、第１中間周波信号ＶＩＦ１の近傍の不要信号を減衰させることが困難である。そこで、オフセット信号の周波数を変更することにより、第１中間周波数信号の周波数ｆｖｌｏ１を＋Δｆずらし、不要信号の周波数がバンドパスフィルタ５０ｂの通過帯域の端に変更される。バンドパスフィルタ５０ｂは、不要信号を減衰させる。
また、第１ＩＦ処理部５０は、第１ＩＦ処理部Ａ５０ａと、第１ＩＦ処理部Ｂ５０ｃとにより、増幅などの信号処理を行う。第１ＩＦ処理部５０において、バンドパスフィルタ５０ｂは、帯域幅の最も広い第１中間周波信号ＶＩＦ１を通過させることのできるバンドパスフィルタである。
後述するように周波数ｆｖｌｏ２を−Δｆずらすことで、第１ＩＦ処理部５０は、周波数ｆｖｒｆ及び第２中間周波数ｆｖｉｆ２を変更することなく、第１中間周波数ｆｖｉｆ１を変更することができたことになる。
第１ＩＦ処理部５０は、信号処理済みの第１中間周波数信号ＶＩＦ１を第２ミキサ６０に送信する。
【００７６】
（第２ミキサ６０の動作）
第２ミキサ６０は、ＶＣＯ２０５ｂから第２ローカル信号ＶＬＯ２を受信する。
また、第２ミキサ６０は、第１ＩＦ処理部５０から信号処理済みの第１中間周波数信号ＶＩＦ１を受信する。
第２ミキサ６０は、受信した第２ローカル信号ＶＬＯ２と、受信した第１中間周波数信号ＶＩＦ１とを乗算して、周波数ｆｖｉｆ２の第２中間周波数信号ＶＩＦ２を生成する。具体的には、第１中間周波数信号ＶＩＦ１をダウンコンバートする場合、第２ミキサ６０は、第２ローカル信号ＶＬＯ２と、第１中間周波数信号ＶＩＦ１とを乗算して、周波数ｆｖｉｆ２＝｜ｆｖｉｆ１−ｆｖｌｏ２｜の第２中間周波数信号ＶＩＦ２を生成する。なお、第２ローカル信号ＶＬＯ２は、所望の第２中間周波数信号ＶＩＦ２を取り出すための所定の周波数を有する信号である。第２ローカル信号ＶＬＯ２としては、第１ローカル信号の周波数ｆｖｌｏ１よりも第２中間周波数信号の周波数ｆｖｉｆ２の分だけ高い周波数を有する第２ローカル信号ＶＬＯ２と、第１ローカル信号の周波数ｆｖｌｏ１よりも第２中間周波数信号の周波数ｆｖｉｆ２の分だけ低い周波数を有する第２ローカル信号ＶＬＯ２の２つが存在する。例えば、第１ローカル信号の周波数ｆｖｌｏ１が２ＧＨｚで、第２ローカル信号の周波数ｆｖｌｏ２が１００ＭＨｚである場合、第２ローカル信号の周波数ｆｖｌｏ２は、２．１ＧＨｚ（＝２ＧＨｚ＋１００ＭＨｚ）と１．９ＧＨｚ（＝２ＧＨｚ−１００ＭＨｚ）の信号の２つが存在する。第２ミキサ６０は、２つの第２ローカル信号ＶＬＯ２のうちのどちらかの周波数の第２ローカル信号ＶＬＯ２と、第１中間周波数信号ＶＩＦ１とを乗算して周波数｜ｆｖｉｆ１−ｆｖｌｏ２｜の第２中間周波数信号ＶＩＦ２を生成すればよい。
このとき、第１ローカル信号の周波数ｆｖｌｏ１を＋Δｆずらした場合と逆方向に、第２ローカル信号の周波数ｆｖｌｏ２を−Δｆずらすと、−Δｆずらした後の第２中間周波数信号の周波数ｆｖｉｆ２ａは、ｆｖｉｆ２ａ＝（ｆｖｉｆ１−Δｆ）−（ｆｖｌｏ２−Δｆ）＝ｆｖｉｆ１−ｆｖｌｏ２＝ｆｖｉｆ２となり、第２ローカル信号の周波数ｆｖｌｏ２を−Δｆずらす前と同一である。また、このとき、高周波信号の周波数ｆｖｒｆは変化していない。
ここで、（ａ２、ｂ２）＝（１、１）とし、第２ミキサ６０が第２ローカル信号ｖｌｏ２を用いて、第１中間周波信号Ｖｉｆ１を第２中間周波信号Ｖｉｆ２に変換する際にＬＳＢを用いる場合を考える。
このとき、第２中間周波信号の周波数ｆｖｉｆ２＝ｆｖｌｏ２−ｆｖｉｆ２＝ｆｖｌｏ２＿０−ｆｖｒｆ＋ｆｖｌｏ１＿０となる。この式から、第２中間周波信号の周波数ｆｖｉｆ２は、オフセット信号の周波数ｆｖｏｆｆに依存しないことがわかる。
【００７７】
このように、受信装置１において、第１ローカル信号の周波数ｆｖｌｏ１が変化した場合であっても、高周波信号の周波数ｆｖｒｆは変化せず、かつ、第２中間周波数信号の周波数ｆｖｉｆ２は変化しない。このように、受信装置１において、高周波信号の周波数ｆｖｒｆと第２中間周波数信号の周波数ｆｖｉｆ２とが変化しないのは、周波数の変化分を検出し、検出した変化分を打ち消すように調整するものではない。受信装置１において、高周波信号の周波数ｆｖｒｆと第２中間周波数信号の周波数ｆｖｉｆ２とが変化しないのは、構造的に変化分が生じないように受信装置１を構成しているからである。
第２ミキサ６０は、生成した第２中間周波数信号ＶＩＦ２を第２ＩＦ処理部７０に送信する。
【００７８】
（第２ＩＦ処理部７０の動作）
第２ＩＦ処理部７０は、第２ミキサ６０から第２中間周波数信号ＶＩＦ２を受信する。
第２ＩＦ処理部７０は、受信した第２中間周波数信号ＶＩＦ２に対して増幅するなどの信号処理を行う。
第２ＩＦ処理部７０は、信号処理済みの第２中間周波数信号ＶＩＦ２を復調器８０に送信する。
【００７９】
（復調器８０の動作）
復調器８０は、第２ＩＦ処理部７０から第２中間周波数信号ＶＩＦ２を受信する。
復調器８０は、受信した第２中間周波数信号ＶＩＦ２に対して信号を復調する処理を行う。また、復調器８０は、近傍の搬送波対雑音比（ＣＮ比）を算出する。
オフセット信号源１０の周波数は、復調器８０が算出した搬送波対雑音比に基づいて制御すればよい。
【００８０】
なお、高周波信号ＶＲＦをアップコンバートする場合には、第１ミキサ４０は、第１ローカル信号ＶＬＯ１と、高周波信号ＶＲＦとを乗算して、周波数｜ｆｖｒｆ＋ｆｖｌｏ１｜の信号を生成する。このとき、第１ローカル信号ＶＬＯ１としては、高周波信号の周波数ｆｖｒｆよりも高い周波数を有する第１ローカル信号ＶＬＯ１と、高周波信号の周波数ｆｖｒｆよりも低い周波数を有する第１ローカル信号ＶＬＯ１の２つが存在する。そこで、第１ミキサ４０は、２つの周波数の信号のうちどちらかを選択し、周波数｜ｆｖｌｏ１＋ｆｖｏｆｆ｜の第１中間周波数信号ＶＩＦ１を生成すればよい。
そして、第１中間周波数信号ＶＩＦ１をアップコンバートする場合には、第２ミキサ６０は、第２ローカル信号ＶＬＯ２と、信号処理済みの第１中間周波数信号ＶＩＦ１とを乗算して、周波数｜ｆｖｉｆ１−ｆｖｌｏ２｜の信号を生成する。このとき、第２ローカル信号ＶＬＯ２として、高周波信号の周波数ｆｖｒｆよりも高い周波数を有する第２ローカル信号ＶＬＯ２と、高周波信号の周波数ｆｖｒｆよりも低い周波数を有する第２ローカル信号ＶＬＯ２２つが存在する。そこで、第２ミキサ６０は、２つの周波数の信号のうちどちらかを選択し、周波数｜ｆｖｉｆ１−ｆｖｌｏ２｜の第２中間周波数信号ＶＩＦ２を生成すればよい。
【００８１】
ここで受信装置１における各信号の周波数の例を図６〜図８を用いて説明する。
図６は、関連する技術を用いた受信装置１における各信号の周波数の例を示している。
第１ローカル信号の周波数ｆｖｌｏ１が１３ＧＨｚ、第２ローカル信号の周波数ｆｖｌｏ２が２．１ＧＨｚ、高周波信号の周波数ｆｒｆが１５ＧＨｚである場合、関連する技術を用いた受信装置１における第１ミキサ４０は、周波数ｆｖｉｆ１が２ＧＨｚの第１中間周波数信号ＶＩＦ１を生成する。
また、第２ミキサ６０は、周波数ｆｖｌｏ２が２．１ＧＨｚの第２ローカル信号ＶＬＯ２と、周波数ｆｖｉｆ１が２ＧＨｚの第１中間周波数信号ＶＩＦ１とを乗算して、周波数ｆｖｉｆ２が１００ＭＨｚの第２中間周波数信号Ｖｉｆ２を生成する。
【００８２】
図７は、本発明の第１の実施形態による受信装置１における各信号の周波数の例を示している。
【００８３】
図７に示すオフセット信号源１０において、分周器１０２の分周率は１００であり、プリスケーラ１０６の分周率は５０００である。また、基準信号源１０１が出力するオフセット信号Ｖｏｆｆの位相の基準となる基準電圧Ｖｒｅｆ３の周波数は１０ＭＨｚである。これにより、オフセット信号源１０は、周波数が５００ＭＨｚのオフセット信号Ｖｏｆｆを生成している。
【００８４】
図７に示す第１局部発振器２０ａにおいて、分周器２０２ａの分周率は１であり、プリスケーラ２０８ａの分周率は１２５０である。また、基準信号源２０１ａが出力する基準電圧Ｖｒｆｆ１の周波数は１０ＭＨｚである。また、バンドパスフィルタ２０７ａの通過帯域は１２．５ＧＨｚ＋／−１００ＭＨｚである。これにより、ミキサ２０６ａが周波数が５００ＭＨｚのオフセット信号ＶｏｆｆとＶＣＯ２０５ａが出力する第１ローカル信号ＶＬＯ１とを乗算することで、第１局部発振器２０ａは、周波数が１３ＧＨｚの第１ローカル信号ＶＬＯ１を生成している。
【００８５】
図７に示す第２局部発振器２０ｂにおいて、分周器２０２ｂの分周率は１であり、プリスケーラ２０８ｂの分周率は２６０である。また、基準信号源２０１ｂが出力する基準電圧Ｖｒｆｆ２の周波数は１０ＭＨｚである。また、バンドパスフィルタ２０７ｂの通過帯域は２．６ＧＨｚ＋／−１００ＭＨｚである。これにより、ミキサ２０６ｂが周波数が５００ＭＨｚのオフセット信号ＶｏｆｆとＶＣＯ２０５ｂが出力する第１ローカル信号ＶＬＯ１とを乗算することで、第２局部発振器２０ｂは、周波数が２．１ＧＨｚの第２ローカル信号ＶＬＯ２を生成している。
また、高周波信号の周波数ｆｒｆが１５ＧＨｚである場合、受信装置１における第１ミキサ４０は、周波数ｆｖｉｆ１が２ＧＨｚの第１中間周波数信号ＶＩＦ１を生成する。
また、第２ミキサ６０は、周波数ｆｖｌｏ２が２．１ＧＨｚの第２ローカル信号ＶＬＯ２と、周波数ｆｖｉｆ１が２ＧＨｚの第１中間周波数信号ＶＩＦ１とを乗算して、周波数ｆｖｉｆ２が１００ＭＨｚの第２中間周波数信号Ｖｉｆ２を生成する。
【００８６】
図８は、本発明の第１の実施形態による受信装置１において、オフセット信号源１０が出力するオフセット信号の周波数ｆｖｏｆｆを５００ＭＨｚ＋／−５０ＭＨｚの範囲でスイープさせた場合において、オフセット信号の周波数ｆｖｏｆｆが５５０ＭＨｚのときの受信装置１における各信号の周波数を示している。
【００８７】
図８に示すオフセット信号源１０において、オフセット信号源１０が周波数５５０ＭＨｚのオフセット信号Ｖｏｆｆを生成した場合、ミキサ２０６ａは、周波数５５０ＭＨｚのオフセット信号ＶｏｆｆとＶＣＯ２０５ａが出力する第１ローカル信号ＶＬＯ１とを乗算することで、第１局部発振器２０ａは、周波数が１３．０５ＧＨｚの第１ローカル信号ＶＬＯ１を生成する。
【００８８】
また、図８に示す第２局部発振器２０ｂにおいて、ミキサ２０６ｂは周波数が５５０ＭＨｚのオフセット信号ＶｏｆｆとＶＣＯ２０５ｂが出力する第１ローカル信号ＶＬＯ１とを乗算することで、第２局部発振器２０ｂは、周波数が２．０５ＧＨｚの第２ローカル信号ＶＬＯ２を生成する。
高周波信号の周波数ｆｒｆが１５ＧＨｚである場合、受信装置１における第１ミキサ４０は、周波数ｆｖｉｆ１が１．９５ＧＨｚの第１中間周波数信号ＶＩＦ１を生成する。
また、第２ミキサ６０は、周波数ｆｖｌｏ２が２．０５ＧＨｚの第２ローカル信号ＶＬＯ２と、周波数ｆｖｉｆ１が１．９５ＧＨｚの第１中間周波数信号ＶＩＦ１とを乗算して、周波数ｆｖｉｆ２が１００ＭＨｚの第２中間周波数信号Ｖｉｆ２を生成する。
このように、オフセット信号の周波数ｆｖｏｆｆをｆｖｏｆｆ＋／−Δｆで周波数を変更することにより、第１中間周波数信号の周波数ｆｖｉｆ１＝ｆｖｒｆ−ｆｖｌｏ１＝ｆｖｒｆ−ｆｖｌｏ１＿０−ｆｖｏｆｆとすることができる。
また、オフセット信号源１０のＰＬＬは、第１局部発振器２０ａ、第２局部発振器２０ｂと独立して設計できるため、オフセット信号源１０のＰＬＬの周波数変更時に受信信号を乱すことなく徐々に周波数を変更できるように設計することが可能である。
また、第２中間周波数信号の周波数ｆｖｉｆ２は、オフセット信号の周波数ｆｖｏｆｆに依存せず、一定値を保つ。さらに、第１ローカル信号の周波数ｆｖｌｏ１、第２ローカル信号の周波数ｆｖｌｏ２はそれぞれ同時に変更されるため、オフセット信号の周波数ｆｖｏｆｆを変更しても第２中間周波数信号の周波数ｆｖｉｆ２の揺れは生じない。
【００８９】
以上、本発明の第１の実施形態による受信装置１について説明した。本発明の第１の実施形態による受信装置１は、受信した高周波信号をダブルスーパーヘテロダイン方式により復調する受信装置である。受信装置１は、オフセット信号源１０と、第１局部発振器２０ａと、第２局部発振器２０ｂと、第１ミキサ４０と、第２ミキサ６０と、を備える。オフセット信号源１０は、所望の周波数のオフセット信号を発生させる。第１局部発振器２０ａは、ＶＣＯ２０５ａと、バンドパスフィルタ２０７ａと、を備える。ＶＣＯ２０５ａは、第１入力基準周波数と第１入力周波数との位相差である第１位相差に応じた発振周波数の第１ローカル信号を生成する。第２局部発振器２０ｂは、ＶＣＯ２０５ｂと、バンドパスフィルタ２０７ｂと、を備える。ＶＣＯ２０５ｂは、第２入力基準周波数と第２入力周波数との位相差である第２位相差に応じた発振周波数の第２ローカル信号を生成する。バンドパスフィルタ２０７ｂは、オフセット信号の逆位相の信号と第２ローカル信号とに基づいて生成された信号を通過させ、不要信号を除去して第２入力周波数の信号を生成する。第１ミキサ４０は、高周波信号と第１ローカル信号とを乗算して第１中間周波数信号を生成する。第２ミキサ６０は、第１中間周波数信号と第２ローカル信号とを乗算して第２中間周波数信号を生成する。
このようにすれば、受信装置１において、周波数ｆｖｒｆ及び第２中間周波数ｆｖｉｆ２を変更することなく、第１中間周波数ｆｖｉｆ１を変更することができる。その結果、バンドパスフィルタ５０ｂによる干渉波の減衰量を変化させることができ、搬送波対雑音比（ＣＮ（Ｃａｒｒｉｅｒ  ｔｏ  Ｎｏｉｓｅ  Ｒａｔｅ）比）を改善することができる。
【００９０】
＜第２の実施形態＞
本発明の第２の実施形態による受信装置１の構成について説明する。
本発明の第２の実施形態による受信装置１は、本発明の第１の実施形態による受信装置１に加え、さらに、図９に示すように、逓倍回路９０ａ、９０ｂを備える。
以下、逓倍回路９０ａ、９０ｂを総称して、逓倍回路９０と呼ぶ。
【００９１】
逓倍回路９０ａは、ＶＣＯ２０５ａと第１ミキサ４０との間に備えられる。逓倍回路９０ａは、ＶＣＯ２０５ａが生成した第１ローカル信号ＶＬＯ１の発振周波数ｆｖｌｏ１をＮ逓倍した周波数ｆｖｌｏ１ｎの信号ＶＬＯ１Ｎを生成する。
逓倍回路９０ｂは、ＶＣＯ２０５ｂと第２ミキサ６０との間に備えられる。逓倍回路９０ｂは、ＶＣＯ２０５ｂが生成した第２ローカル信号ＶＬＯ２の発振周波数ｆｖｌｏ２をＮ逓倍した周波数ｆｖｌｏ２ｎの信号ＶＬＯ２Ｎを生成する。
【００９２】
次に、本発明の第２の実施形態による受信装置１の動作について説明する。
ＶＣＯ２０５ａは、ループフィルタ２０４ａから直流電圧Ｖｄｃ１を受信する。
ＶＣＯ２０５ａは、受信した直流電圧Ｖｄｃ１に応じた発振周波数ｆｖｌｏ１で発振する第１ローカル信号ＶＬＯ１を生成する。
ＶＣＯ２０５ａは、生成した第１ローカル信号ＶＬＯ１を逓倍回路９０ａに送信する。
【００９３】
逓倍回路９０ａは、ＶＣＯ２０５ａが生成した第１ローカル信号ＶＬＯ１の発振周波数ｆｖｌｏ１をＮ逓倍した周波数ｆｖｌｏ１ｎの信号ＶＬＯ１Ｎを生成する。
逓倍回路９０ａは、生成した信号ＶＬＯ１Ｎを第１ミキサ４０に送信する。
第１ミキサ４０は、逓倍回路９０ａから信号ＶＬＯ１Ｎを受信する。
また、第１ミキサ４０は、ＲＦ処理部３０から高周波信号ＶＲＦを受信する。
第１ミキサ４０は、受信した信号ＶＬＯ１Ｎと、受信した高周波信号ＶＲＦとを乗算して、周波数ｆｖｉｆ１ｎの第１中間周波数信号ＶＩＦ１Ｎを生成する。
【００９４】
ＶＣＯ２０５ｂは、ループフィルタ２０４ｂから直流電圧Ｖｄｃ２を受信する。
ＶＣＯ２０５ｂは、受信した直流電圧Ｖｄｃ２に応じた発振周波数ｆｖｌｏ２で発振する第２ローカル信号ＶＬＯ２を生成する。
ＶＣＯ２０５ｂは、生成した第２ローカル信号ＶＬＯ２を逓倍回路９０ｂに送信する。
【００９５】
逓倍回路９０ｂは、ＶＣＯ２０５ｂが生成した第２ローカル信号ＶＬＯ２の発振周波数ｆｖｌｏ２をＮ逓倍した周波数ｆｖｌｏ２ｎの信号ＶＬＯ２Ｎを生成する。
逓倍回路９０ｂは、生成した信号ＶＬＯ２Ｎを第２ミキサ６０に送信する。
第２ミキサ６０は、逓倍回路９０ｂから信号ＶＬＯ２Ｎを受信する。
また、第２ミキサ６０は、第１ＩＦ処理部５０から信号処理済みの第１中間周波数信号ＶＩＦ１Ｎを受信する。
第２ミキサ６０は、受信した信号ＶＬＯ２Ｎと、受信した第１中間周波数信号ＶＩＦ１とを乗算して、周波数ｆｖｉｆ２ｎの第２中間周波数信号ＶＩＦ２Ｎを生成する。
【００９６】
なお、第１ミキサ４０がＶＣＯ２０５ａから受信する信号の周波数と第２ミキサ６０がＶＣＯ２０５ｂから受信する信号の周波数がＮ逓倍されること以外は、本発明の第２の実施形態による受信装置１は、本発明の第１の実施形態による受信装置１と同様の動作である。
【００９７】
第１ミキサ４０は、逓倍回路９０ａから信号ＶＬＯ１Ｎを受信する。
また、第１ミキサ４０は、ＲＦ処理部３０から高周波信号ＶＲＦを受信する。
第１ミキサ４０は、受信した信号ＶＬＯ１Ｎと、受信した高周波信号ＶＲＦとを乗算して、周波数ｆｖｉｆ１ｎの第１中間周波数信号ＶＩＦ１Ｎを生成する。具体的には、高周波信号ＶＲＦをダウンコンバートする場合、第１ミキサ４０は、信号ＶＬＯ１Ｎと、高周波信号ＶＲＦとを乗算して、周波数ｆｖｉｆ１ｎ＝｜ｆｖｒｆ−Ｎ×ｆｖｌｏ１｜の第１中間周波数信号ＶＩＦ１を生成する。このとき、信号ＶＬＯ１Ｎとしては、高周波信号の周波数ｆｖｒｆよりも高い周波数を有する信号と、高周波信号の周波数ｆｖｒｆよりも低い周波数を有する信号の２つが存在する。そこで、第１ミキサ４０は、例えば、受信装置１は、２つの信号のうちのどちらかの周波数の信号ＶＬＯ１Ｎを選択することにより周波数｜ｆｖｒｆ−Ｎ×ｆｖｌｏ１｜の第１中間周波数信号ＶＩＦ１Ｎを生成する。
このとき、周波数（Ｎ×ｆｖｌｏ１）を＋Δｆずらすと、＋Δｆずらした後の第１中間周波数信号ＶＩＦ１の周波数ｆｖｉｆ１ａは、ｆｖｉｆ１ａ＝ｆｖｒｆ−（Ｎ×ｆｖｌｏ１＋Δｆ）＝ｆｖｉｆ１ｎ−Δｆとなり、−Δｆずれる。
第１ミキサ４０は、生成した第１中間周波数信号ＶＩＦ１を第１ＩＦ処理部５０に送信する。
【００９８】
第２ミキサ６０は、逓倍回路９０ｂから信号ＶＬＯ２Ｎを受信する。
また、第２ミキサ６０は、第１ＩＦ処理部５０から信号処理済みの第１中間周波数信号ＶＩＦ１を受信する。
第２ミキサ６０は、受信した信号ＶＬＯ２Ｎと、受信した第１中間周波数信号ＶＩＦ１とを乗算して、周波数ｆｖｉｆ２ｎの第２中間周波数信号ＶＩＦ２Ｎを生成する。具体的には、第１中間周波数信号ＶＩＦ１をダウンコンバートする場合、第２ミキサ６０は、信号ＶＬＯ２と、第１中間周波数信号ＶＩＦ１とを乗算して、周波数ｆｖｉｆ２＝｜ｆｖｉｆ１−Ｎ×ｆｖｌｏ２｜の第２中間周波数信号ＶＩＦ２を生成する。このとき、信号ＶＬＯ２としては、高周波信号の周波数ｆｖｉｆ２よりも高い周波数を有する信号と、高周波信号の周波数ｆｖｉｆ２よりも低い周波数を有する信号の２つが存在する。そこで、第２ミキサ６０は、例えば、２つの信号のうちのどちらかの周波数の信号を選択することにより周波数｜ｆｖｉｆ１−Ｎ×ｆｖｌｏ２｜の第２中間周波数信号ＶＩＦ２を生成する。
このとき、周波数（Ｎ×ｆｖｌｏ１）を＋Δｆずらした場合と逆方向に、周波数（Ｎ×ｆｖｌｏ２）を−Δｆずらすと、−Δｆずらした後の第２中間周波数信号ＶＩＦ２の周波数ｆｖｉｆ２ａは、ｆｖｉｆ２ａ＝（ｆｖｉｆ１−Δｆ）−（Ｎ×ｆｖｌｏ２−Δｆ）＝ｆｖｉｆ１−Ｎ×ｆｖｌｏ２＝ｆｖｉｆ２となり、周波数（Ｎ×ｆｖｌｏ２）を−Δｆずらす前と同一である。
第２ミキサ６０は、生成した第２中間周波数信号ＶＩＦ２を第２ＩＦ処理部７０に送信する。
【００９９】
以上、本発明の第２の実施形態による受信装置１について説明した。本発明の第２の実施形態による受信装置１は、本発明の第１の実施形態による受信装置１に加え、さらに、逓倍回路９０ａ、９０ｂを備える。逓倍回路９０ａは、ＶＣＯ２０５ａと第１ミキサ４０との間に備えられる。逓倍回路９０ａは、ＶＣＯ２０５ａが生成した第１ローカル信号ＶＬＯ１の発振周波数ｆｖｌｏ１をＮ逓倍した周波数ｆｖｌｏ１ｎの信号ＶＬＯ１Ｎを生成する。逓倍回路９０ｂは、ＶＣＯ２０５ｂと第２ミキサ６０との間に備えられる。逓倍回路９０ｂは、ＶＣＯ２０５ｂが生成した第２ローカル信号ＶＬＯ２の発振周波数ｆｖｌｏ２をＮ逓倍した周波数ｆｖｌｏ２ｎの信号ＶＬＯ２Ｎを生成する。
このようにすれば、受信装置１において、周波数ｆｖｒｆ及び第２中間周波数ｆｖｉｆ２を変更することなく、第１中間周波数ｆｖｉｆ１を変更することができる。その結果、バンドパスフィルタ５０ｂによる干渉波の減衰量を変化させることができ、搬送波対雑音比（ＣＮ比）を改善することができる。
【０１００】
＜第３の実施形態＞
本発明の第３の実施形態による受信装置１について説明する。
本発明の第３の実施形態による受信装置１は、本発明の第１の実施形態による受信装置１に加え、さらに、図１０に示すように、分周器１００ａと、逓倍回路１１０ａと、を備える。
【０１０１】
分周器１００ａは、オフセット信号源１０とミキサ２０６ａとの間に設けられる。
逓倍回路１１０ａは、ＶＣＯ２０５ａと第１ミキサ４０との間に設けられる。
このとき、分周器１００ａがオフセット信号Ｖｏｆｆを（１／Ｌ）に分周器してミキサ２０６ａに送信された場合、ＶＣＯ２０５ａが生成する信号ＶＬＯ１の周波数が変化する。
逓倍回路１１０ａは、信号ＶＬＯ１の周波数が変化した場合であっても、第１ミキサ４０が受ける信号の周波数を所望の周波数に変更することができる。
【０１０２】
以上、本発明の第３の実施形態による受信装置１について説明した。本発明の第３の実施形態による受信装置１は、本発明の第１の実施形態による受信装置１に加え、さらに、分周器１００ａと、逓倍回路１１０ａと、を備える。分周器１００ａは、オフセット信号源１０とミキサ２０６ａとの間に設けられる。逓倍回路１１０ａは、ＶＣＯ２０５ａと第１ミキサ４０との間に設けられる。分周器１００ａがオフセット信号Ｖｏｆｆを（１／Ｌ）に分周器してミキサ２０６ａに送信する。逓倍回路１１０ａは、信号ＶＬＯ１の周波数を変化させる。
このようにすれば、受信装置１において、信号ＶＬＯ１の周波数が変化した場合であっても、第１ミキサ４０が受ける信号の周波数を所望の周波数に変更することができる。
【０１０３】
＜第４の実施形態＞
本発明の第４の実施形態による受信装置１について説明する。
本発明の第４の実施形態による受信装置１は、本発明の第１の実施形態による受信装置１に加え、さらに、図１１に示すように、逓倍回路１１０ａと、逓倍回路１１０ｂとを備える。
【０１０４】
逓倍回路１１０ａは、ＶＣＯ２０５ａと第１ミキサ４０との間に設けられる。
逓倍回路１１０ｂは、ＶＣＯ２０５ｂと第２ミキサ６０との間に設けられる。
逓倍回路１１０ａは、信号ＶＬＯ１の周波数が変化した場合であっても、第１ミキサ４０が受ける信号の周波数を所望の周波数に変更することができる。
また、逓倍回路１１０ｂは、信号ＶＬＯ２の周波数が変化した場合であっても、第２ミキサ６０が受ける信号の周波数を所望の周波数に変更することができる。
【０１０５】
図１２は、本発明の第４の実施形態による受信装置１における各信号の周波数の例を示している。
【０１０６】
図１２に示すオフセット信号源１０において、分周器１０２の分周率は１００であり、プリスケーラ１０６の分周率は５０００である。また、基準信号源１０１が出力するオフセット信号Ｖｏｆｆの位相の基準となる基準電圧Ｖｒｅｆ３の周波数は１０ＭＨｚである。これにより、オフセット信号源１０は、周波数が５００ＭＨｚのオフセット信号Ｖｏｆｆを生成している。
【０１０７】
図１２に示す第１局部発振器２０ａにおいて、分周器２０２ａの分周率は１であり、プリスケーラ２０８ａの分周率は６００である。また、基準信号源２０１ａが出力する基準電圧Ｖｒｆｆ１の周波数は１０ＭＨｚである。また、バンドパスフィルタ２０７ａの通過帯域は１２．５ＧＨｚ＋／−１００ＭＨｚである。これにより、ミキサ２０６ａが周波数が５００ＭＨｚのオフセット信号ＶｏｆｆとＶＣＯ２０５ａが出力する第１ローカル信号ＶＬＯ１とを乗算することで、第１局部発振器２０ａは、周波数が６．５ＧＨｚの第１ローカル信号ＶＬＯ１を生成している。
逓倍回路１１０ａは、６．５ＧＨｚの第１ローカル信号ＶＬＯ１を２倍の周波数に逓倍して第１ミキサ４０に送信する。
【０１０８】
図１２に示す第２局部発振器２０ｂにおいて、分周器２０２ｂの分周率は１であり、プリスケーラ２０８ｂの分周率は３１０である。また、基準信号源２０１ｂが出力する基準電圧Ｖｒｆｆ２の周波数は１０ＭＨｚである。また、バンドパスフィルタ２０７ｂの通過帯域は２．６ＧＨｚ＋／−１００ＭＨｚである。これにより、ミキサ２０６ｂが周波数が５００ＭＨｚのオフセット信号ＶｏｆｆとＶＣＯ２０５ｂが出力する第１ローカル信号ＶＬＯ１とを乗算することで、第２局部発振器２０ｂは、周波数が２．１ＧＨｚの第２ローカル信号ＶＬＯ２を生成している。
逓倍回路１１０ｂは、２．１ＧＨｚの第２ローカル信号ＶＬＯ２を１倍の周波数に逓倍して第２ミキサ６０に送信する。
また、高周波信号の周波数ｆｒｆが１５ＧＨｚである場合、受信装置１における第１ミキサ４０は、周波数ｆｖｉｆ１が２ＧＨｚの第１中間周波数信号ＶＩＦ１を生成する。
また、第２ミキサ６０は、周波数ｆｖｌｏ２が２．１ＧＨｚの第２ローカル信号ＶＬＯ２と、周波数ｆｖｉｆ１が２ＧＨｚの第１中間周波数信号ＶＩＦ１とを乗算して、周波数ｆｖｉｆ２が１００ＭＨｚの第２中間周波数信号Ｖｉｆ２を生成する。
【０１０９】
図１３は、本発明の第１の実施形態による受信装置１において、オフセット信号源１０が出力するオフセット信号の周波数ｆｖｏｆｆを５００ＭＨｚ＋／−２０ＭＨｚの範囲でスイープさせた場合において、オフセット信号の周波数ｆｖｏｆｆが５２０ＭＨｚのときの受信装置１における各信号の周波数を示している。
【０１１０】
図１３に示すオフセット信号源１０において、オフセット信号源１０が周波数５２０ＭＨｚのオフセット信号Ｖｏｆｆを生成した場合、ミキサ２０６ａは、周波数５２０ＭＨｚのオフセット信号Ｖｏｆｆと逓倍回路１１０ａが出力する信号とを乗算することで、第１局部発振器２０ａは、周波数が１３．０４ＧＨｚの第１ローカル信号ＶＬＯ１を生成する。
【０１１１】
また、図１３に示す第２局部発振器２０ｂにおいて、ミキサ２０６ｂは周波数が５２０ＭＨｚのオフセット信号ＶｏｆｆとＶＣＯ２０５ｂが出力する第１ローカル信号ＶＬＯ１とを乗算することで、第２局部発振器２０ｂは、周波数が２．０６ＧＨｚの第２ローカル信号ＶＬＯ２を生成する。
高周波信号の周波数ｆｒｆが１５ＧＨｚである場合、受信装置１における第１ミキサ４０は、周波数ｆｖｉｆ１が１．９６ＧＨｚの第１中間周波数信号ＶＩＦ１を生成する。
また、第２ミキサ６０は、周波数ｆｖｌｏ２が２．０６ＧＨｚの第２ローカル信号ＶＬＯ２と、周波数ｆｖｉｆ１が１．９６ＧＨｚの第１中間周波数信号ＶＩＦ１とを乗算して、周波数ｆｖｉｆ２が１００ＭＨｚの第２中間周波数信号Ｖｉｆ２を生成する。
このように、オフセット信号の周波数ｆｖｏｆｆをｆｖｏｆｆ＋／−Δｆで周波数を変更することにより、第１中間周波数信号の周波数ｆｖｉｆ１＝ｆｖｒｆ−ｆｖｌｏ１＝ｆｖｒｆ−ｆｖｌｏ１＿０−ｆｖｏｆｆとすることができる。
また、オフセット信号源１０のＰＬＬは、第１局部発振器２０ａ、第２局部発振器２０ｂと独立して設計できるため、オフセット信号源１０のＰＬＬの周波数変更時に受信信号を乱すことなく徐々に周波数を変更できるように設計することが可能である。
また、第２中間周波数信号の周波数ｆｖｉｆ２は、オフセット信号の周波数ｆｖｏｆｆに依存せず、一定値を保つ。さらに、第１ローカル信号の周波数ｆｖｌｏ１、第２ローカル信号の周波数ｆｖｌｏ２はそれぞれ同時に変更されるため、オフセット信号の周波数ｆｖｏｆｆを変更しても第２中間周波数信号の周波数ｆｖｉｆ２の揺れは生じない。
【０１１２】
以上、本発明の第３の実施形態による受信装置１について説明した。本発明の第４の実施形態による受信装置１は、本発明の第１の実施形態による受信装置１に加え、さらに、逓倍回路１１０ａと、逓倍回路１１０ａとを備える。逓倍回路１１０ａは、ＶＣＯ２０５ａと第１ミキサ４０との間に設けられる。逓倍回路１１０ｂは、ＶＣＯ２０５ｂと第２ミキサ６０との間に設けられる。逓倍回路１１０ａは、信号ＶＬＯ１の周波数が変化した場合であっても、第１ミキサ４０が受ける信号の周波数を所望の周波数に変更することができる。また、逓倍回路１１０ｂは、信号ＶＬＯ２の周波数が変化した場合であっても、第２ミキサ６０が受ける信号の周波数を所望の周波数に変更することができる。
このようにすれば、受信装置１において、信号ＶＬＯ１の周波数が変化した場合であっても、第１ミキサ４０が受ける信号の周波数を所望の周波数に変更することができる。
【０１１３】
＜第５の実施形態＞
本発明の第５の実施形態による受信装置１について説明する。
本発明の第５の実施形態による受信装置１は、本発明の第１の実施形態による受信装置１に加え、さらに、図１４に示すように、分周器１２０ａ、を備える。
【０１１４】
分周器１２０ａは、オフセット信号源１０とミキサ２０６ａとの間に設けられる。
なお、バンドパスフィルタ２０７ａは、位相比較器２０３ａとミキサ２０６ａとの間に設けられる。
また、プリスケーラ２０８ａは、ＶＣＯ２０５ａとミキサ２０６ａとの間に設けられる。
分周器１２０ａは、分周率を調整することにより信号ＶＬＯ１の周波数を変化させ、第１ミキサ４０が受ける信号の周波数を所望の周波数に変更することができる。
【０１１５】
以上、本発明の第５の実施形態による受信装置１について説明した。本発明の第５の実施形態による受信装置１は、本発明の第１の実施形態による受信装置１に加え、さらに、分周器１２０ａ、を備える。分周器１２０ａは、オフセット信号源１０とミキサ２０６ａとの間に設けられる。バンドパスフィルタ２０７ａは、位相比較器２０３ａとミキサ２０６ａとの間に設けられる。プリスケーラ２０８ａは、ＶＣＯ２０５ａとミキサ２０６ａとの間に設けられる。分周器１２０ａは、分周率を調整することにより信号ＶＬＯ１の周波数を変化させる。
このようにすれば、受信装置１において、第１ミキサ４０が受ける信号の周波数を所望の周波数に変更することができる。
【０１１６】
＜第６の実施形態＞
本発明の第６の実施形態による受信装置１について説明する。
本発明の第６の実施形態による受信装置１は、本発明の第１の実施形態による受信装置１に加え、さらに、図１５に示すように、プリスケーラ１３０ａと、分周器１４０ａと、を備える。
【０１１７】
プリスケーラ１３０ａは、ＶＣＯ２０５ａとミキサ２０６ａとの間に設けられる。プリスケーラ１３０ａは、高速カウンタによる分周作用を利用して入力信号の周波数を分周する。
分周器１４０ａは、オフセット信号源１０とミキサ２０６ａとの間に設けられる。
プリスケーラ１３０ａ及び分周器１４０ａが分周率を調整することにより信号ＶＬＯ１の周波数を変化させ、第１ミキサ４０が受ける信号の周波数を所望の周波数に変更することができる。
【０１１８】
以上、本発明の第６の実施形態による受信装置１について説明した。本発明の第６の実施形態による受信装置１は、本発明の第１の実施形態による受信装置１に加え、さらに、プリスケーラ１３０ａと、分周器１４０ａと、を備える。プリスケーラ１３０ａは、オフセット信号源１０とミキサ２０６ａとの間に設けられる。プリスケーラ１３０ａは、高速カウンタによる分周作用を利用して入力信号の周波数を分周する。分周器１４０ａは、ＶＣＯ２０５ａとミキサ２０６ａとの間に設けられる。プリスケーラ１３０ａ及び分周器１４０ａが分周率を調整することにより信号ＶＬＯ１の周波数を変化させる。
このようにすれば、受信装置１において、第１ミキサ４０が受ける信号の周波数を所望の周波数に変更することができる。
【０１１９】
＜第７の実施形態＞
本発明の第７の実施形態による受信装置１について説明する。
本発明の第７の実施形態による受信装置１は、本発明の第１の実施形態による受信装置１に加え、さらに、図１６に示すように、パルス・スワロ・カウンタ１５０ａ（図１６における１５０ａ１と１５０ａ２との組み合わせ）、分周器１６０ａと、を備える。
【０１２０】
パルス・スワロ・カウンタ１５０ａの１５０ａ１の部分は、ＶＣＯ２０５ａとミキサ２０６ａとの間に設けられる。
パルス・スワロ・カウンタ１５０ａの１５０ａ２の部分は、バンドパスフィルタ２０７ａとプリスケーラ２０８ａとの間に設けられる。
パルス・スワロ・カウンタ１５０ａの１５０ａ２の部分が生成した信号は、パルス・スワロ・カウンタ１５０ａの１５０ａ１の部分及び分周器１６０ａに送信される。
分周器１６０ａは、オフセット信号源１０とミキサ２０６ａとの間に設けられる。
パルス・スワロ・カウンタ１５０ａは、８／９、１６／１７など分周数が１違う分周を行う分周器である。
パルス・スワロ・カウンタ１５０ａ及び分周器１６０ａが分周率を調整することにより信号ＶＬＯ１の周波数を変化させ、第１ミキサ４０が受ける信号の周波数を所望の周波数に変更することができる。
【０１２１】
以上、本発明の第７の実施形態による受信装置１について説明した。本発明の第７の実施形態による受信装置１は、本発明の第１の実施形態による受信装置１に加え、さらに、パルス・スワロ・カウンタ１５０ａ、分周器１６０ａと、を備える。パルス・スワロ・カウンタ１５０ａの１５０ａ１の部分は、ＶＣＯ２０５ａとミキサ２０６ａとの間に設けられる。パルス・スワロ・カウンタ１５０ａの１５０ａ２の部分は、バンドパスフィルタ２０７ａとプリスケーラ２０８ａとの間に設けられる。パルス・スワロ・カウンタ１５０ａの１５０ａ２の部分が生成した信号は、パルス・スワロ・カウンタ１５０ａの１５０ａ１の部分及び分周器１６０ａに送信される。分周器１６０ａは、オフセット信号源１０とミキサ２０６ａとの間に設けられる。パルス・スワロ・カウンタ１５０ａ及び分周器１６０ａが分周率を調整することにより信号ＶＬＯ１の周波数を変化させる。
このようにすれば、受信装置１において、第１ミキサ４０が受ける信号の周波数を所望の周波数に変更することができる。
【０１２２】
＜第８の実施形態＞
本発明の第８の実施形態による受信装置１について説明する。
本発明の第８の実施形態による受信装置１は、本発明の第１の実施形態による受信装置１に加え、さらに、図１７に示すように、逓倍回路１７０ａ、１７０ｂ、分周器１８０ａ、１８０ｂを備える。
【０１２３】
逓倍回路１７０ａは、ＶＣＯ２０５ａと第１ミキサ４０との間に設けられる。逓倍回路１７０ａは、信号ＶＬＯ１の周波数を逓倍数Ｌ１で逓倍した信号を生成する。
逓倍回路１７０ｂは、ＶＣＯ２０５ｂと第２ミキサ６０との間に設けられる。逓倍回路１７０ｂは、信号ＶＬＯ２の周波数を逓倍数Ｌ２で逓倍した信号を生成する。
分周器１８０ａは、オフセット信号源１０とミキサ２０６ａとの間に設けられる。分周器１８０ａは、逓倍数Ｌ１と逓倍数Ｌ２との最大公約数をｇｃｄとすると、分周率Ｋ１＝（Ｌ１／ｇｃｄ）×ａ（ａ：任意の整数）で分周する。
分周器１８０ｂは、オフセット信号源１０とミキサ２０６ｂとの間に設けられる。分周器１８０ｂは、逓倍数Ｌ１と逓倍数Ｌ２との最大公約数をｇｃｄとすると、分周率Ｋ２＝（Ｌ２／ｇｃｄ）×ａ（ａ：任意の整数）で分周する。
例えば、逓倍数Ｌ１＝６、逓倍数Ｌ２＝４の場合、最大公約数ｇｃｄ＝２である。従って、分周率Ｋ１＝３、Ｋ２＝２とすれば信号ＶＬＯ１がずれる周波数Δｆ１と信号ＶＬＯ２がずれる周波数Δｆ２のそれぞれは、Δｆ１＝ｆｖｏｆｆ×（６／３）＝２ｆｖｏｆｆ、Δｆ２＝ｆｖｏｆｆ×（４／２）＝２ｆｖｏｆｆとなり、周波数Δｆ１とΔｆ２とが一致する。
【０１２４】
以上、本発明の第８の実施形態による受信装置１について説明した。本発明の第８の実施形態による受信装置１は、本発明の第１の実施形態による受信装置１に加え、さらに、逓倍回路１７０ａ、１７０ｂ、分周器１８０ａ、１８０ｂを備える。逓倍回路１７０ａは、ＶＣＯ２０５ａと第１ミキサ４０との間に設けられる。逓倍回路１７０ａは、信号ＶＬＯ１の周波数を逓倍数Ｌ１で逓倍した信号を生成する。逓倍回路１７０ｂは、ＶＣＯ２０５ｂと第２ミキサ６０との間に設けられる。逓倍回路１７０ｂは、信号ＶＬＯ２の周波数を逓倍数Ｌ２で逓倍した信号を生成する。分周器１８０ａは、オフセット信号源１０とミキサ２０６ａとの間に設けられる。分周器１８０ａは、逓倍数Ｌ１と逓倍数Ｌ２との最大公約数をｇｃｄとすると、分周率Ｋ１＝（Ｌ１／ｇｃｄ）×ａで分周する。分周器１８０ｂは、オフセット信号源１０とミキサ２０６ｂとの間に設けられる。分周器１８０ｂは、逓倍数Ｌ１と逓倍数Ｌ２との最大公約数をｇｃｄとすると、分周率Ｋ２＝（Ｌ２／ｇｃｄ）×ａで分周する。
このようにすれば、受信装置１において、第１ミキサ４０が受ける信号の周波数を所望の周波数に変更することができる。
【０１２５】
＜第９の実施形態＞
本発明の第９の実施形態による受信装置１について説明する。
本発明の第９の実施形態による受信装置１は、本発明の第１の実施形態による受信装置１に加え、さらに、図１８に示すように、バンドパスフィルタ１９０ａと、検波器２００ａと、周波数制御部２１０ａと、を備える。
【０１２６】
バンドパスフィルタ１９０ａは、第２ＩＦ処理部７０と検波器２００ａとの間に設けられる。バンドパスフィルタ１９０ａは、干渉波のみを通過させる周波数帯域のフィルタである。
検波器２００ａは、バンドパスフィルタ１９０ａと周波数制御部２１０ａとの間に設けられる。検波器２００ａは、干渉波を検波する。具体的には、検波器２００ａは、干渉波の電力を測定することでバンドパスフィルタ１９０ａでの減衰量を測定する。
周波数制御部２１０ａは、オフセット信号源１０と検波器２００ａとの間に設けられる。周波数制御部２１０ａは、検波器２００ａが検波した干渉波に応じて、オフセット信号源１０が生成する信号の周波数を最適化し、最適な第２中間周波数ｆｖｉｆ２に設定する。
なお、バンドパスフィルタ１９０ａの代わりに帯域阻止濾波器（Ｂａｎｄ  Ｅｌｉｍｉｎａｔｉｏｎ  Ｆｉｌｔｅｒ）、低域濾波器（Ｌｏｗ  Ｐａｓｓ  Ｆｉｌｔｅｒ）、高域濾波器（Ｈｉｇｈ  Ｐａｓｓ  Ｆｉｌｔｅｒ）などが用いられてもよい。
【０１２７】
以上、本発明の第９の実施形態による受信装置１について説明した。本発明の第９の実施形態による受信装置１は、本発明の第１の実施形態による受信装置１に加え、さらに、バンドパスフィルタ１９０ａと、検波器２００ａと、周波数制御部２１０ａと、を備える。バンドパスフィルタ１９０ａは、第２ＩＦ処理部７０と検波器２００ａとの間に設けられる。バンドパスフィルタ１９０ａは、干渉波のみを通過させる周波数帯域のフィルタである。検波器２００ａは、バンドパスフィルタ１９０ａと周波数制御部２１０ａとの間に設けられる。検波器２００ａは、復調器８０が近傍の搬送波対雑音比（ＣＮ比）を算出して干渉波を検波する代わりに、干渉波を検波する。周波数制御部２１０ａは、オフセット信号源１０と検波器２００ａとの間に設けられる。周波数制御部２１０ａは、検波器２００ａが検波した干渉波に応じて、オフセット信号源１０が生成する信号の周波数を最適化し、最適な第２中間周波数ｆｖｉｆ２に設定する。
このようにすれば、受信装置１において、第１ミキサ４０が受ける信号の周波数を所望の周波数に変更することができる。
【０１２８】
＜第１０の実施形態＞
本発明の第１０の実施形態による受信装置１について説明する。
本発明の第１０の実施形態による受信装置１は、図１で示した本発明の第１の実施形態による受信装置１と同様の構成である。
【０１２９】
ミキサ２０６ａは、受信した第１ローカル信号ＶＬＯ１と、受信したオフセット信号Ｖｏｆｆとを乗算して、帰還信号Ｖｆｂ１を生成する。具体的には、ミキサ２０６ａは、第１ローカル信号ＶＬＯ１の周波数ｆｖｌｏ１と、オフセット信号Ｖｏｆｆの周波数ｆｖｏｆｆとを乗算して、周波数｜ｆｖｌｏ１＋ｆｖｏｆｆ｜の信号と、周波数｜ｆｖｌｏ１−ｆｖｏｆｆ｜の信号とを生成する。このとき、オフセット信号源１０がオフセット信号ｖｏｆｆをセンター周波数ｆｃｅｎｔからプラス側とマイナス側にそれぞれ所定の周波数Δｆの範囲で周波数をスイープさせて、（ｆｃｅｎｔ−Δｆ）〜（ｆｃｅｎｔ＋Δｆ）の周波数の範囲のオフセット信号Ｖｏｆｆを生成する代わりに、センター周波数ｆｃｅｎｔから少し周波数を変動させたときのＣＮを測定し、ＣＮ比のよい方のみスイープさせる。なお、このとき、第１中間周波数信号ＶＩＦ１の第１中間周波数ｆｖｉｆ１は、図１９に示すように、第１中間周波数を設定可能下限周波数ｆｍｉｎからセンター周波数ｆｃｅｎｔまで、または、センター周波数ｆｃｅｎｔから設定可能上限周波数ｆｍａｘまで変化する。オフセット信号ｖｏｆｆの周波数は、（ｆｃｅｎｔ−Δｆ）〜ｆｃｅｎｔ、または、ｆｃｅｎｔ〜（ｆｃｅｎｔ＋Δｆ）の周波数の範囲をスイープさせた中で、最もＣＮ比のよくなる第１中間周波数ｆｖｉｆ１（例えば、ｆｃｅｎｔ〜（ｆｃｅｎｔ＋Δｆ）までスイープさせた場合にはｆ１となる周波数）に設定すればよい。
【０１３０】
以上、本発明の第１０の実施形態による受信装置１について説明した。本発明の第１０の実施形態による受信装置１は、本発明の第１の実施形態による受信装置１と同様の構成である。ミキサ２０６ａは、受信した第１ローカル信号ＶＬＯ１と、受信したオフセット信号Ｖｏｆｆとを乗算して、帰還信号Ｖｆｂ１を生成する。具体的には、ミキサ２０６ａは、第１ローカル信号ＶＬＯ１の周波数ｆｖｌｏ１と、オフセット信号Ｖｏｆｆの周波数ｆｖｏｆｆとを乗算して、周波数｜ｆｖｌｏ１＋ｆｖｏｆｆ｜の信号と、周波数｜ｆｖｌｏ１−ｆｖｏｆｆ｜の信号とを生成する。このとき、オフセット信号源１０がオフセット信号ｖｏｆｆをセンター周波数ｆｃｅｎｔからプラス側とマイナス側にそれぞれ所定の周波数Δｆの範囲で周波数をスイープさせて、（ｆｃｅｎｔ−Δｆ）〜（ｆｃｅｎｔ＋Δｆ）の周波数の範囲のオフセット信号Ｖｏｆｆを生成する代わりに、センター周波数ｆｃｅｎｔからプラス側とマイナス側とに少し周波数を変動させたときのＣＮを測定し、プラス側とマイナス側のうちＣＮ比のよい方のみスイープさせる。なお、このとき、第１中間周波数信号ＶＩＦ１の第１中間周波数ｆｖｉｆ１は、第１中間周波数を設定可能下限周波数ｆｍｉｎからセンター周波数ｆｃｅｎｔまで、または、センター周波数ｆｃｅｎｔから設定可能上限周波数ｆｍａｘまで変化する。オフセット信号ｖｏｆｆの周波数は、（ｆｃｅｎｔ−Δｆ）〜ｆｃｅｎｔ、または、ｆｃｅｎｔ〜（ｆｃｅｎｔ＋Δｆ）の周波数の範囲をスイープさせた中で、最もＣＮ比のよくなる第１中間周波数ｆｖｉｆ１に設定すればよい。
このようにすれば、受信装置１において、第１ミキサ４０が受ける信号の周波数を所望の周波数に変更することができる。
【０１３１】
＜第１１の実施形態＞
本発明の第１１の実施形態による通信システム２について説明する。
本発明の第１１の実施形態による通信システム２は、図１で示した受信装置１と、図２２に示す送信装置３と、を備える。
図２２に示す送信装置３は、図１で示した受信装置１に対応する構成となっており、図２２に示すように、オフセット信号源１０と、第１局部発振器２０ａと、第２局部発振器２０ｂと、ＲＦ処理部３０と、第１ミキサ４０と、第１ＩＦ処理部５０と、第２ミキサ６０と、第２ＩＦ処理部７０と、変調器２２０と、を備える。
【０１３２】
送信装置３において、オフセット信号源１０と第１局部発振器２０ａとが接続される。  オフセット信号源１０と第２局部発振器２０ｂとが接続される。
第１局部発振器２０ａと第２局部発振器２０ｂとが接続される。第１局部発振器２０ａと第１ミキサ４０とが接続される。
第２局部発振器２０ｂと第２ミキサ６０とが接続される。
ＲＦ処理部３０と第１ミキサ４０とが接続される。
第１ミキサ４０と第２ＩＦ処理部７０とが接続される。
第１ＩＦ処理部５０と第２ミキサ６０とが接続される。第１ＩＦ処理部５０と変調器２２０とが接続される。
第２ミキサ６０と第２ＩＦ処理部７０とが接続される。
なお、図２０に示す送信装置３は、周波数ｆｖｒｆ及び第１中間周波数ｆｖｉｆ１を変更することなく、第２中間周波数ｆｖｉｆ２を変更する送信装置である。
【０１３３】
なお、通信システム２において、受信装置１が第２〜第１０の実施形態による受信装置１となった場合には、送信装置３は、受信装置１に対応する構成の送信装置３に変更される。
【０１３４】
以上、本発明の第１１の実施形態による通信システム２について説明した。本発明の第１１の実施形態による通信システム２は、本発明の第１の実施形態による受信装置１と、本発明の第１の実施形態による受信装置１に対応する構成の送信装置３（オフセット信号源１０、第１局部発振器２０ａ、第２局部発振器２０ｂ、ＲＦ処理部３０、第１ミキサ４０、第１ＩＦ処理部５０、第２ミキサ６０、第２ＩＦ処理部７０、変調器２２０）と、を備える。送信装置３において、オフセット信号源１０と第１局部発振器２０ａとが接続される。オフセット信号源１０と第２局部発振器２０ｂとが接続される。第１局部発振器２０ａと第２局部発振器２０ｂとが接続される。第１局部発振器２０ａと第１ミキサ４０とが接続される。第２局部発振器２０ｂと第２ミキサ６０とが接続される。ＲＦ処理部３０と第１ミキサ４０とが接続される。第１ミキサ４０と第２ＩＦ処理部７０とが接続される。第１ＩＦ処理部５０と第２ミキサ６０とが接続される。第１ＩＦ処理部５０と変調器２２０とが接続される。第２ミキサ６０と第２ＩＦ処理部７０とが接続される。
このようにすれば、受信装置１において、第１ミキサ４０が受ける信号の周波数を所望の周波数に変更することができる。また、送信装置３において、周波数ｆｖｒｆ及び第１中間周波数ｆｖｉｆ１を変更することなく、第２中間周波数ｆｖｉｆ２を変更することができる。
なお、送信装置３は、アップコンバータの機能を備えていてもよい。また、送信装置３は、備えるアップコンバータの機能を用いて、高周波信号を生成するものであってもよい。  
【０１３５】
＜第１２の実施形態＞
本発明の第１２の実施形態による通信システム２について説明する。
本発明の第１２の実施形態による通信システム２は、図２１に示すように、受信装置１と、送信装置３と、を備える。
【０１３６】
受信装置１は、オフセット信号源１０と、第１局部発振器２０ａと、第２局部発振器２０ｂと、ＲＦ処理部３０と、第１ミキサ４０と、第１ＩＦ処理部５０と、第２ミキサ６０と、第２ＩＦ処理部７０と、復調器８０と、を備える。
【０１３７】
送信装置３は、オフセット信号源１０と、第１局部発振器２０ａと、第３局部発振器２０ｃと、ＲＦ処理部３０と、第１ミキサ４０と、第１ＩＦ処理部５０と、第２ミキサ６０と、第２ＩＦ処理部７０と、変調器２２０と、を備える。
【０１３８】
受信装置１と送信装置３とでオフセット信号源１０と第１局部発振器２０ａとが共通化されている。
【０１３９】
受信装置１において、オフセット信号源１０は、第１局部発振器２０ａ及び第２局部発振器２０ｂに信号Ｖｏｆｆを送信する。
第１局部発振器２０ａは、第１ミキサ４０に信号ＶＬＯ１を送信する。
第２局部発振器２０ｂは、第２ミキサ６０に信号ＶＬＯ２を送信する。
ＲＦ処理部３０は、第１ミキサ４０に信号ＶＲＦを送信する。
第１ミキサ４０は、第１ＩＦ処理部５０を介して第２ミキサ６０に信号ＶＩＦを送信する。
【０１４０】
送信装置３において、オフセット信号源１０は第１局部発振器２０ａ及び第３局部発振器２０ｃに信号Ｖｏｆｆを送信する。
第１局部発振器２０ａは、第１ミキサ４０に信号ＶＬＯ１を送信する。
第３局部発振器２０ｂは、第２ミキサ６０に信号ＶＬＯ２を送信する。
変調器２２０は、第１ＩＦ処理部５０を介して第２ミキサ６０に信号ＶＩＦ１を送信する。
第２ミキサ６０は、第２ＩＦ処理部７０を介して第１ミキサ４０に信号ＶＩＦ２を送信する。
第１ミキサ４０は、ＲＦ処理部３０に信号ＶＲＦを送信する。
【０１４１】
受信装置１と送信装置３のそれぞれの動作については、第１１の実施形態による通信システム２における、受信装置１と送信装置３のそれぞれの動作と同様である。
【０１４２】
以上、本発明の第１２の実施形態による通信システム２について説明した。本発明の第１２の実施形態による通信システム２は、受信装置１と、送信装置３と、を備える。受信装置１は、オフセット信号源１０と、第１局部発振器２０ａと、第２局部発振器２０ｂと、ＲＦ処理部３０と、第１ミキサ４０と、第１ＩＦ処理部５０と、第２ミキサ６０と、第２ＩＦ処理部７０と、復調器８０と、を備える。送信装置３は、オフセット信号源１０と、第１局部発振器２０ａと、第３局部発振器２０ｃと、ＲＦ処理部３０と、第１ミキサ４０と、第１ＩＦ処理部５０と、第２ミキサ６０と、第２ＩＦ処理部７０と、変調器２２０と、を備える。受信装置１と送信装置３とでオフセット信号源１０と第１局部発振器２０ａとが共通化されている。送信装置１において、オフセット信号源１０と第１局部発振器２０ａとが接続される。オフセット信号源１０と第２局部発振器２０ｂとが接続される。第１局部発振器２０ａと第１ミキサ４０とが接続される。第２局部発振器２０ｂと第２ミキサ６０とが接続される。ＲＦ処理部３０と第１ミキサ４０とが接続される。第１ミキサ４０と第１ＩＦ処理部５０とが接続される。第１ＩＦ処理部５０と第２ミキサ６０とが接続される。第２ミキサ６０と第２ＩＦ処理部７０とが接続される。第２ＩＦ処理部７０と復調器８０とが接続される。送信装置３において、オフセット信号源１０と第１局部発振器２０ａとが接続される。オフセット信号源１０と第３局部発振器２０ｃとが接続される。第１局部発振器２０ａと第１ミキサ４０とが接続される。第３局部発振器２０ｃと第２ミキサ６０とが接続される。ＲＦ処理部３０と第１ミキサ４０とが接続される。第１ミキサ４０と第２ＩＦ処理部７０とが接続される。第１ＩＦ処理部５０と第２ミキサ６０とが接続される。第１ＩＦ処理部５０と変調器２２０とが接続される。第２ミキサ６０と第２ＩＦ処理部７０とが接続される。
このようにすれば、受信装置１において、第１ミキサ４０が受ける信号の周波数を所望の周波数に変更することができる。また、送信装置３において、周波数ｆｖｒｆ及び第１中間周波数ｆｖｉｆ１を変更することなく、第２中間周波数ｆｖｉｆ２を変更することができる。
【０１４３】
＜第１３の実施形態＞
本発明の第１３の実施形態による受信装置１について説明する。
本発明の第１３の実施形態による受信装置１は、本発明の第１の実施形態による受信装置１に加え、さらに、図２２に示すように、バンドパスフィルタ１９０ａと、検波器２００ａと、周波数制御部２１０ａと、を備える。
【０１４４】
バンドパスフィルタ１９０ａは、復調器８０と検波器２００ａとの間に設けられる。バンドパスフィルタ１９０ａは、干渉波のみを通過させる周波数帯域のフィルタである。
検波器２００ａは、バンドパスフィルタ１９０ａと周波数制御部２１０ａとの間に設けられる。検波器２００ａは、干渉波を検波する。具体的には、検波器２００ａは、干渉波の電力を測定することでバンドパスフィルタ１９０ａでの減衰量を測定する。
周波数制御部２１０ａは、オフセット信号源１０と検波器２００ａとの間に設けられる。周波数制御部２１０ａは、検波器２００ａが検波した干渉波に応じて、オフセット信号源１０が生成する信号の周波数を最適化し、最適な第２中間周波数ｆｖｉｆ２に設定する。
なお、バンドパスフィルタ１９０ａの代わりに帯域阻止濾波器（Ｂａｎｄ  Ｅｌｉｍｉｎａｔｉｏｎ  Ｆｉｌｔｅｒ）、低域濾波器（Ｌｏｗ  Ｐａｓｓ  Ｆｉｌｔｅｒ）、高域濾波器（Ｈｉｇｈ  Ｐａｓｓ  Ｆｉｌｔｅｒ）などが用いられてもよい。
【０１４５】
以上、本発明の第１３の実施形態による受信装置１について説明した。本発明の第１３の実施形態による受信装置１は、本発明の第１の実施形態による受信装置１に加え、さらに、バンドパスフィルタ１９０ａと、検波器２００ａと、周波数制御部２１０ａと、を備える。バンドパスフィルタ１９０ａは、変調器２２０と検波器２００ａとの間に設けられる。バンドパスフィルタ１９０ａは、干渉波のみを通過させる周波数帯域のフィルタである。検波器２００ａは、バンドパスフィルタ１９０ａと周波数制御部２１０ａとの間に設けられる。検波器２００ａは、復調器８０が近傍の搬送波対雑音比（ＣＮ比）を算出して干渉波を検波する代わりに、干渉波を検波する。周波数制御部２１０ａは、オフセット信号源１０と検波器２００ａとの間に設けられる。周波数制御部２１０ａは、検波器２００ａが検波した干渉波に応じて、オフセット信号源１０が生成する信号の周波数を最適化し、最適な第２中間周波数ｆｖｉｆ２に設定する。
このようにすれば、受信装置１において、第１ミキサ４０が受ける信号の周波数を所望の周波数に変更することができる。
【０１４６】
次に、本発明の実施形態による最小構成の受信装置１について説明する。
本発明の実施形態による最小構成の受信装置１は、受信した高周波信号をダブルスーパーヘテロダイン方式により復調する受信装置である。
【０１４７】
受信装置１は、図２３に示すように、オフセット信号源１０と、第１局部発振器２０ａと、第２局部発振器２０ｂと、第１ミキサ４０と、第２ミキサ６０と、を備える。
【０１４８】
オフセット信号源１０は、所望の周波数のオフセット信号を発生させる。
第１局部発振器２０ａは、ＶＣＯ２０５ａ（第１電圧制御発振器）と、バンドパスフィルタ２０７ａ（第１バンドパスフィルタ）と、を備える。
ＶＣＯ２０５ａは、第１入力基準周波数と第１入力周波数との位相差である第１位相差に応じた発振周波数の第１ローカル信号を生成する。
バンドパスフィルタ２０７ａは、オフセット信号と第１ローカル信号とに基づいて生成された信号を通過させ、不要信号を除去して第１入力周波数の信号を生成する。
【０１４９】
第２局部発振器２０ｂは、ＶＣＯ２０５ｂ（第２電圧制御発振器）と、バンドパスフィルタ２０７ｂ（第２バンドパスフィルタ）と、を備える。
ＶＣＯ２０５ｂは、第２入力基準周波数と第２入力周波数との位相差である第２位相差に応じた発振周波数の第２ローカル信号を生成する。
バンドパスフィルタ２０７ｂは、オフセット信号の逆位相の信号と第２ローカル信号とに基づいて生成された信号を通過させ、不要信号を除去して第２入力周波数の信号を生成する。
【０１５０】
第１ミキサ４０は、高周波信号と第１ローカル信号とを乗算して第１中間周波数信号を生成する。
第２ミキサ６０は、第１中間周波数信号と第２ローカル信号とを乗算して第２中間周波数信号を生成する。
このようにすれば、受信装置１において、周波数ｆｖｒｆ及び第２中間周波数ｆｖｉｆ２を変更することなく、第１中間周波数ｆｖｉｆ１を変更することができる。その結果、第１中間周波数ｆｖｉｆ１を通過させるバンドパスフィルタにおいて干渉波の減衰量を変化させることができ、搬送波対雑音比を改善することができる。
【０１５１】
なお、本発明の実施形態には、ＩＣ（Ｉｎｔｅｇｒａｔｅｄ  Ｃｉｒｃｕｉｔ）内にｎ逓倍回路を備え、例えば、周波数ｆｉｃの信号とそのｎ分の１の周波数（ｆｉｃ／ｎ）の信号を生成するＶＣＯのＩＣを用いて各周波数の信号を生成する場合も含まれる。
【０１５２】
なお、本発明の実施形態における処理は、適切な処理が行われる範囲において、処理の順番が入れ替わってもよい。
【０１５３】
本発明の実施形態における記憶部のそれぞれは、適切な情報の送受信が行われる範囲においてどこに備えられていてもよい。また、記憶部のそれぞれは、適切な情報の送受信が行われる範囲において複数存在しデータを分散して記憶していてもよい。
【０１５４】
本発明の実施形態について説明したが、上述の周波数制御部２１０ａやその他の制御部は内部に、コンピュータシステムを有していてもよい。そして、上述した処理の過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータがそのプログラムを実行するようにしてもよい。
【０１５５】
また、上記プログラムは、前述した機能の一部を実現してもよい。さらに、上記プログラムは、前述した機能をコンピュータシステムにすでに記録されているプログラムとの組み合わせで実現できるファイル、いわゆる差分ファイル（差分プログラム）であってもよい。
【０１５６】
本発明のいくつかの実施形態を説明したが、これらの実施形態は、例であり、発明の範囲を限定しない。これらの実施形態は、発明の要旨を逸脱しない範囲で、追加、種々の省略、置き換え、変更を行ってよい。
【０１５７】
なお、上記の実施形態の一部又は全部は、以下の付記のようにも記載されうるが、以下には限られない。
【０１５８】
（付記１）受信した高周波信号をダブルスーパーヘテロダイン方式により復調する受信装置であって、
所望の周波数のオフセット信号を発生させるオフセット信号源と、
前記オフセット信号を入力し、前記オフセット信号に係る位相と基準信号の位相との比較結果に基づく周波数の第１ローカル信号を出力する第１ＰＬＬを有する第１局部発振器と、
前記オフセット信号を入力し、前記オフセット信号に係る位相と基準信号の位相との比較結果に基づく周波数の第２ローカル信号を出力する第２ＰＬＬを有する第２局部発振器と、
前記高周波信号と前記第１ローカル信号とを乗算して、第１中間周波数信号を生成する第１ミキサと、
前記第１中間周波数信号を通過させるバンドパスフィルタと、
前記第２ローカル信号と前記バンドパスフィルタを通過した後の前記第１中間周波数信号とを乗算して、第２中間周波数信号を生成する第２ミキサと、
を備え、
前記オフセット信号の周波数が変更された場合に、前記第１ローカル信号の周波数の増加分の絶対値が前記第２ローカル信号の周波数の減少分の絶対値に等しくなる前記第１ローカル信号と前記第２ローカル信号とを生成する
ことを特徴とする受信装置。
【０１５９】
（付記２）前記オフセット信号源と前記第１局部発振器との間に設けられ、前記オフセット信号を分周して前記第１局部発振器に出力する分周器、
を備える、
付記１に記載の受信装置。
【０１６０】
（付記３）前記第１局部発振器と前記第１ミキサとの間に設けられ、前記第１ローカル信号を逓倍して前記第１ミキサに出力する逓倍回路、
を備える、
付記１または付記２に記載の受信装置。
【０１６１】
（付記４）前記オフセット信号の周波数は、最小周波数から最大周波数までの周波数のうち搬送波対雑音比が最もよい周波数である、
付記１から付記３の何れか一に記載の受信装置。
【０１６２】
（付記５）前記オフセット信号の周波数は、センター周波数からプラス側に所定の周波数だけ変動させた信号、及び、前記センター周波数からマイナス側に所定の周波数だけ変動させた信号のうち、前記プラス側に変動させた信号の搬送波対雑音比が前記マイナス側に変動させた信号の搬送波対雑音比よりもよい場合には前記センター周波数から最大値周波数までの周波数のうち搬送波対雑音比が最もよくなる周波数であり、前記プラス側に変動させた信号の搬送波対雑音比が前記マイナス側に変動させた信号の搬送波対雑音比よりも悪い場合には前記センター周波数から最小周波数までの周波数のうち搬送波対雑音比が最もよい周波数である、
付記１から付記３の何れか一に記載の受信装置。
【０１６３】
（付記６）前記第１局部発振器は、前記第１ＰＬＬと前記第１ミキサとの間に設けられる第１逓倍回路を備え、前記第２局部発振器は。前記第２ＰＬＬと前記第２ミキサとの間に設けられる第２逓倍回路を備え、前記第１逓倍回路は、前記第１局部発振器の出力信号の周波数が変化した場合であっても、前記第１ミキサが受ける信号の周波数を所望の周波数に変更することができ、前記第２逓倍回路は、前記第２局部発振器の出力信号の周波数が変化した場合であっても、前記第２ミキサが受ける信号の周波数を所望の周波数に変更する、
付記１から付記５の何れか一に記載の受信装置。
【０１６４】
（付記７）ダブルスーパーヘテロダイン方式により高周波信号に変調する送信装置であって、
所望の周波数のオフセット信号を発生させるオフセット信号源と、
第１入力基準周波数と第１入力周波数との位相差である第１位相差に応じた発振周波数の第１ローカル信号を生成する第１電圧制御発振器、
前記オフセット信号と前記第１ローカル信号とに基づいて生成された信号を通過させ、不要信号を除去して前記第１入力周波数の信号を生成する第１バンドパスフィルタ、
を有する第１局部発振器と、
第２入力基準周波数と第２入力周波数との位相差である第２位相差に応じた発振周波数の第２ローカル信号を生成する第２電圧制御発振器、
前記オフセット信号の逆位相の信号と前記第２ローカル信号とに基づいて生成された信号を通過させ、不要信号を除去して前記第２入力周波数の信号を生成する第２バンドパスフィルタ、
を有する第２局部発振器と、
前記第１ローカル信号と第２中間周波数信号とを乗算して前記高周波信号を生成する第１ミキサと、
第１中間周波数信号と前記第２ローカル信号とを乗算して第２中間周波数信号を生成する第２ミキサと、
を備える、
送信装置。
【０１６５】
（付記８）付記１に記載の受信装置と、
付記７に記載の送信装置と、
を備える通信システム。
【０１６６】
（付記９）受信した高周波信号をダブルスーパーヘテロダイン方式により復調する受信装置の制御方法であって、
所望の周波数のオフセット信号を発生させることと、
前記オフセット信号を入力し、前記オフセット信号に係る位相と基準信号の位相との比較結果に基づく周波数の第１ローカル信号を出力することと、
前記オフセット信号を入力し、前記オフセット信号に係る位相と基準信号の位相との比較結果に基づく周波数の第２ローカル信号を出力することと、
前記高周波信号と前記第１ローカル信号とを乗算して、第１中間周波数信号を生成することと、
前記第１中間周波数信号を通過させることと、
前記第２ローカル信号とバンドパスフィルタを通過した後の前記第１中間周波数信号とを乗算して、第２中間周波数信号を生成することと、
を含み、
前記オフセット信号の周波数が変更された場合に、前記第１ローカル信号の周波数の増加分の絶対値が前記第２ローカル信号の周波数の減少分の絶対値に等しくなる前記第１ローカル信号と前記第２ローカル信号とを生成することと、
を含むことを特徴とする受信装置の制御方法。
【０１６７】
（付記１０）ダブルスーパーヘテロダイン方式により高周波信号に変調する送信装置の制御方法であって、
所望の周波数のオフセット信号を発生させることと、
第１入力基準周波数と第１入力周波数との位相差である第１位相差に応じた発振周波数の第１ローカル信号を生成することと、
前記オフセット信号と前記第１ローカル信号とに基づいて生成された信号を通過させ、不要信号を除去して前記第１入力周波数の信号を生成することと、
第２入力基準周波数と第２入力周波数との位相差である第２位相差に応じた発振周波数の第２ローカル信号を生成することと、
前記オフセット信号の逆位相の信号と前記第２ローカル信号とに基づいて生成された信号を通過させ、不要信号を除去して前記第２入力周波数の信号を生成することと、
前記第１ローカル信号と第２中間周波数信号とを乗算して前記高周波信号を生成することと、
第１中間周波数信号と前記第２ローカル信号とを乗算して第２中間周波数信号を生成することと、
を含む送信装置の制御方法。
【０１６８】
（付記１１）コンピュータに、
所望の周波数のオフセット信号を発生させることと、
前記オフセット信号を入力し、前記オフセット信号に係る位相と基準信号の位相との比較結果に基づく周波数の第１ローカル信号を出力することと、
前記オフセット信号を入力し、前記オフセット信号に係る位相と基準信号の位相との比較結果に基づく周波数の第２ローカル信号を出力することと、
受信した高周波信号と前記第１ローカル信号とを乗算して、第１中間周波数信号を生成することと、
前記第１中間周波数信号を通過させることと、
前記第２ローカル信号とバンドパスフィルタを通過した後の前記第１中間周波数信号とを乗算して、第２中間周波数信号を生成することと、
を実行させ、
前記オフセット信号の周波数が変更された場合に、前記第１ローカル信号の周波数の増加分の絶対値が前記第２ローカル信号の周波数の減少分の絶対値に等しくなる前記第１ローカル信号と前記第２ローカル信号とを生成すること、
を実行させるプログラム。
【０１６９】
（付記１２）コンピュータに、
所望の周波数のオフセット信号を発生させることと、
第１入力基準周波数と第１入力周波数との位相差である第１位相差に応じた発振周波数の第１ローカル信号を生成することと、
前記オフセット信号と前記第１ローカル信号とに基づいて生成された信号を通過させ、不要信号を除去して前記第１入力周波数の信号を生成することと、
第２入力基準周波数と第２入力周波数との位相差である第２位相差に応じた発振周波数の第２ローカル信号を生成することと、
前記オフセット信号の逆位相の信号と前記第２ローカル信号とに基づいて生成された信号を通過させ、不要信号を除去して前記第２入力周波数の信号を生成することと、
前記第１ローカル信号と第２中間周波数信号とを乗算して送信する高周波信号を生成することと、
第１中間周波数信号と前記第２ローカル信号とを乗算して第２中間周波数信号を生成することと、
を実行させるプログラム。
【符号の説明】
【０１７０】
１・・・受信装置
１０・・・オフセット信号源
２０ａ・・・第１局部発振器
２０ｂ・・・第２局部発振器
２０ｃ・・・第３局部発振器
３０・・・ＲＦ（Ｒａｄｉｏ  Ｆｒｅｑｕｅｎｃｙ）処理部
４０・・・第１ミキサ
５０・・・第１ＩＦ（Ｉｎｔｅｒｍｉｄｉａｔｅ  Ｆｒｅｑｕｅｎｃｙ）処理部
５０ａ・・・第１ＩＦ処理部Ａ
５０ｂ、１９０ａ、２０７ａ、２０７ｂ・・・バンドパスフィルタ
５０ｃ・・・第１ＩＦ処理部Ｂ
６０・・・第２ミキサ
７０・・・第２ＩＦ処理部
８０・・・復調器
９０ａ、９０ｂ、１１０ａ、１７０ａ、１７０ｂ・・・逓倍回路
１００、１２０ａ、１４０ａ、１６０ａ、１８０ａ、１８０ｂ、２０２ａ、２０２ｂ・・・分周器
１３０ａ、２０８ａ・・・プリスケーラ
１５０ａ（１５０ａ１、１５０ａ２）・・・パルス・スワロ・カウンタ
２００ａ・・・検波器
２０１ａ、２０１ｂ・・・基準信号源
２０３ａ、２０３ｂ・・・位相比較器
２０４ａ、２０４ｂ・・・ループフィルタ
２０５ａ、２０５ｂ・・・ＶＣＯ（Ｖｏｌｔａｇｅ  Ｃｏｎｔｒｏｌｌｅｄ  Ｏｓｃｉｌｌａｔｏｒ）
２０６ａ、２０６ｂ・・・ミキサ
２１０ａ・・・周波数制御部
２２０・・・変調器
３００ａ・・・第１ＰＬＬ
３００ｂ・・・第２ＰＬＬ
【図１】
2018056740.tif 000003
【図２】
2018056740.tif 000004
【図３】
2018056740.tif 000005
【図４】
2018056740.tif 000006
【図５】
2018056740.tif 000007
【図６】
2018056740.tif 000008
【図７】
2018056740.tif 000009
【図８】
2018056740.tif 000010
【図９】
2018056740.tif 000011
【図１０】
2018056740.tif 000012
【図１１】
2018056740.tif 000013
【図１２】
2018056740.tif 000014
【図１３】
2018056740.tif 000015
【図１４】
2018056740.tif 000016
【図１５】
2018056740.tif 000017
【図１６】
2018056740.tif 000018
【図１７】
2018056740.tif 000019
【図１８】
2018056740.tif 000020
【図１９】
2018056740.tif 000021
【図２０】
2018056740.tif 000022
【図２１】
2018056740.tif 000023
【図２２】
2018056740.tif 000024
【図２３】
2018056740.tif 000025